(57)【要約】【課題】食品や薬品などの流体製品を充填するための、袋体や小袋などの可撓性材料製容器用の開閉装置を提供する。【解決手段】注入体３に除去できるように結合されたキャップストッパ４、及び前記注入体３の周りの基部２を備え、該基部２の底部を、可撓性容器５０の予め決められた部分５５、５２ｃ、５３ｃにシールした開閉装置１。【選択図】図２
2012532812.tif 000002
【特許請求の範囲】
【請求項１】
注入体（３、１０３）、該注入体（３、１０３）に除去できるように結合された開閉部材（４、１０４）を備え、可撓性材料から成り、かつ流体製品の充填用である可撓性容器（５０、１５０）用の開閉装置（１，１０１）において、
前記注入体（３、１０３）の予め決められた外部プロフィールの周囲部（６、１０６）の周りに、実質的に平らでかつ折り曲げられかつシールできる基部（２，１０２）を備え、
該基部（２，１０２）は、その底部を、孔を有するか、開口されて、前記注入体（３，１０３）を前記可撓性容器（５０、１５０）の内容物と流体的に連通できるようになっている前記可撓性容器（５０、１５０）の予め決められた部分（５５、１５２ｃ、１５３ｃ）にシールされていることを特徴とする開閉装置（１、１０１）。
【請求項２】
注入体（３、１０３）は、前記流体製品を供給するための予め決められた軸を有するネック（２２、１２２）を備え、前記基部（２，１０２）は、ネック（２２、１２２）の下部、あるいはネックの下端の注入体と一体化され、かつ前記注入体（２２、１２２）のネックと同軸の孔（１１、１１１）を有する請求項１記載の開閉装置（１、１０１）。
【請求項３】
前記基部（２，１０２）は、前記注入体（３、１０３）の予め決められた外部プロフィールの前記部分（６、１０６）の周縁（７、１０７）の周りの基部（２、１０２）の折り曲げ、及びシールを容易に行うための少なくとも１本の折り曲げ線を有する請求項１又は２記載の開閉装置（１、１０１）。
【請求項４】
前記基部（２，１０２）は、注入体（３，１０３）の周縁部（６，１０６）の外部プロフィールに実質的に等しい全体のプロフィールを有する第１折り曲げ線（１２、１１２）と、該第１折り曲げ線（１２、１１２）により区画されるプロフィールの外部に配置される第２の折り曲げ線（１３、１１３）を備える請求項３記載の開閉装置（１、１０１）。
【請求項５】
前記第１折り曲げ線（１２、１１２）は、前記同軸的な孔（１１、１１１）を有する前記基部（２、１０２）の実質的な中央部（２ａ、１０２ａ）を区画し、かつ前記第２折り曲げ線（１３、１１３）は、前記基部（２、１０２）の周縁部（２ｂ、１０２ｂ）に形成され、前記周縁部（２ｂ、１０２ｂ）は、前記注入体（３、１０３）の予め決められた外部プロフィールの前記周縁部（６、１０６）にシール可能である請求項４記載の開閉装置（１、１０１）。
【請求項６】
前記基部（２、１０２）は、前記第１折り曲げ線（１２、１１２）により区画されるプロフィール内に配置される第３折り曲げ線を備える請求項４又は５記載の開閉装置（１、１０１）。
【請求項７】
前記第１折り曲げ線（１２、１１２）は、前記基部（２、１０２）上の注入体（３、１０３）の周縁部（６、１０６）の直交する突起の外部に近接して形成される請求項４〜６のいずれか１項に記載の開閉装置（１、１０１）。
【請求項８】
前記注入体（３、１０３）の前記周縁部は、予め決められた外部プロフィールとシール用周縁面（７、１０７）を有する平らなフランジ（６、１０６）を備える請求項１〜７のいずれか１項に記載の開閉装置（１、１０１）。
【請求項９】
前記基部（２、１０２）は、ネック（１２２）の下端で、該ネックと一体化されている請求項２〜８のいずれか１項に記載の開閉装置（１、１０１）。
【請求項１０】
前記注入体（３、１０３）は、前記基部（２）と一体化成形されたカラー（５）を備え、前記ネックには、前記可撓性容器（５０）の予め決定された部分を開口するために適した切断手段（４２）が装置され、かつ前記ネック（２２）は、前記切断手段（４２）が、前記可撓性容器（５０）から最も離れた状態で前記カラー（５）に位置する上端停止位置と、前記切断手段（４２）が最大前進した位置にありかつ前記可撓性容器（５０）を開口できる下端停止位置間で回転しながら移動できるようにした請求項２〜８のいずれか１項に記載の開閉装置（１、１０１）。
【請求項１１】
側部が、それぞれの側縁（１５２ａ、１５２ｂ、１５３ａ、１５３ｂ）の少なくとも一部に沿ってシールされた、互いに対向する第１壁（１５２）及び第２壁（１５３）、及び流体製品を収容する前記壁間の空間、及び請求項１〜９のいずれか１項に記載の開閉装置を備えるパッケージ（１７０）であって、
前記開閉装置は、その基部（１０２）が、前記第１壁（１５２）及び第２壁（１５３）の内面にシールされ、前記基部（１０２）は折り曲げられ、かつ前記注入体（１０３）の予め決められた外部プロフィールの前記部分（１０６）の周囲にシールされていても良く、更に前記第１壁（１５２）及び第２壁（１５３）の前記端部（１５２ｃ、１５３ｃ）は互いに折り曲げられ、前記注入体（１０３）の前記部分（１０６）との結合で影響されずかつ前記基部の残りの部分により影響されても良いパッケージ（１７０）。
【請求項１２】
側部が、それぞれの側縁（５２ａ、５２ｂ、５３ａ、５３ｂ）の少なくとも一部に沿ってシールされた、互いに対向する第１壁（５２）及び第２壁（５３）、及び流体製品を収容する前記壁間の空間、前記第１壁（５２）及び第２壁（５３）の上端（５２ｄ、５３ｄ）間を延びかつ前記第１壁（５２）及び第２壁（５３）のそれぞれの上端部（５２ｃ、５３ｃ）で前記第１壁（５２）及び第２壁（５３）に少なくとも側面がシールされたガセット部材（５５）、及び請求項１０記載の開閉装置を備える流体製品用のパッケージ（７０）であって、
前記開閉装置の基部（２）は、前記ガセット部材（５５）にシールされ、前記基部（２）は折り曲げられ、かつ前記注入体（３）の予め決められた外部プロフィールの前記部分（６）の周囲にシールされていても良く、更に前記第１壁（５２）及び第２壁（５３）の前記端部（５２ｃ、５３ｃ）はガセット部材（５５）と共に、前記注入体（３）の前記部分（６）との結合で影響されず、かつ前記基部の残りの部分により影響されても良いゾーンで、互いに折り曲げられているパッケージ（７０）。
【請求項１３】
互いに対向し、かつ前記第１壁（１５２）及び第２壁（１５３）のそれぞれの上端で終わる、それぞれの端部（１５２ｃ、１５３ｃ）を除いて、側面がシールされた第１壁（１５２）及び第２壁（１５３）を備え、かつ前記第１壁（１５２）及び第２壁（１５３）の上端（１５２ｃ、１５３ｃ）間に形成される口部（５６）に沿って開口する可撓性容器（１５０）を準備し、
請求項１〜９のいずれか１項に記載の開閉装置（１０１）を準備し、
前記口部（５６）を通して、流体製品で前記開口した可撓性容器を充填し、
前記第１壁（１５２）及び第２壁（１５３）の上端（１５２ｃ、１５３ｃ）を互いに方向変換して、それらを実質的に水平な面に沿って配置し、
前記開閉装置（１０１）の基部（１０２）を、前記第１壁（１５２）及び第２壁（１５３）の端部（１５２ｃ、１５３ｃ）にシールし、
前記第１壁（１５２）及び第２壁（１５３）の前記配置された上端（１５２ｃ、１５３ｃ）を折り曲げ、前記開閉装置（１０１）の注入体（１０３）の予め決められた外部プロフィールの部分（１０６）の周囲の折り曲げた基部（１０２）をシールし、及び／又は前記第１壁（１５２）及び第２壁（１５３）の折り曲げた上端（１５２ｃ、１５３ｃ）を、前記注入体（１０３）の前記部分（１０６）との結合で影響されず、かつ前記基部（１０２）の残りの部分により影響されても良いゾーンで、互いにシールする、
各工程を備える請求項１１記載のパッケージに、流体製品を充填する方法。
【請求項１４】
互いに対向し、かつ前記第１壁（５２）及び第２壁（５３）のそれぞれの上端で終わる、それぞれの端部（５２ｃ、５３ｃ）を除いて、側面がシールされた第１壁（５２）及び第２壁（５３）、及び前記第１壁（５２）及び第２壁（５３）の上端（５２ｄ、５３ｄ）間を延び、かつ前記第１壁（５２）及び第２壁（５３）のそれぞれの上端部（５２ｃ、５３ｃ）で前記第１壁（５２）及び第２壁（５３）に少なくとも側面がシールされたガセット部材（５５）を備え、かつ前記第１壁（５２）及び第２壁（５３）の上端（５２ｃ、５３ｃ）間に形成される口部（５６）に沿って開口する可撓性容器（５０）を準備し、
請求項１０記載の開閉装置（１）を準備し、
前記口部（５６）を通して、流体製品で前記開口した可撓性容器（５０）を充填し、
前記口部（５６）の対向端をシールして、前記可撓性容器を密封し、
前記第１壁（５２）及び第２壁（５３）の上端（５２ｃ、５３ｃ）を互いに方向変換して、前記ガセット部材（５５）を実質的に水平な面に沿って配置し、
前記ガセット部材（５５）上に、前記開閉装置（１）の基部（２）をシールし、
前記基部（２）、及び前記第１壁（５２）及び第２壁（５３）の前記端部（５２ｃ、５３ｃ）を前記ガセット部材（５５）と共に折り曲げ、前記開閉装置（１）の注入体（３）の予め決められた外部プロフィールの部分（６）の周囲の折り曲げた基部（２）をシールし、及び／又は前記第１壁（５２）及び第２壁（５３）の折り曲げた上端（５２ｃ、５３ｃ）を、前記注入体（３）の前記部分（６）との結合で影響されず、かつ前記基部（２）の残りの部分により影響されても良いゾーンで、互いにシールする、
各工程を備える請求項１２記載のパッケージに、流体製品を充填する方法。
【発明の詳細な説明】
【技術分野】
【０００１】
本発明は、広義では、流動製品の充填の分野に関する。
【０００２】
より詳細には、本発明は、例えば食品や薬品などの流動製品を充填するための袋体や小袋などの可撓性材料製容器の開閉蓋に関する。
【０００３】
また本発明は、可撓性容器を有する流動製品用パッケージ、及び開閉蓋、更に前記パッケージ内に液動製品を充填する方法にも関する。
【背景技術】
【０００４】
例えば飲料やジュースなどの液体又は半液体状食品、及び粉状又は粒状の食品のような流動性を有する食品を充填するために使用される袋体や小袋などの可撓性材料製容器の開閉蓋は周知である。
【０００５】
これらの容器は、一般に、少なくとも側面が折り曲げられ、かつシールされた好ましい可撓性材料から成る１枚のシート（又は数枚のシート）からなっており、該シートにより、底部と、２枚の対向する壁面が形成され、両壁面間には、食品用の内部空間が形成され、かつ対向する壁面の上端には、所望の食品を注入するための注入口が設けられている。
【０００６】
より詳細に述べると、前記タイプの可撓性容器用の開閉体は公知であり、食品注入用のネックを有する硬質のプラスチック製の注入口、及びネックの上端に回転自在に装着された、通常は開閉式であるキャップを備え、必要に応じて、キャップをネックに装着したり、ネックから離脱させたりするためのねじ込み式栓蓋を備えている。
【０００７】
更に前記注入体は、適切なシール面を有し、これにより前記注入口は、予め食品が充填された可撓性容器の対向部分に、例えば押圧などの公知技術によってシールされ、熱い食品の場合には、前記口部の対向部分を、互いに、かつ予め前記部分間に設けた注入口のシール面に押圧する。
【０００８】
しかし、前記タイプの開閉装置を、開いている可撓性容器の注入口に好適に、すなわち液密にシールすることは、現在の技術では困難である。前記注入口は、具体的には、注入体のシール面の端部に近いゾーンであり、ここでは、注入口の対向部の壁面は互いに結合され、前記注入体のシール面に結合するために方向を変えられており、更に容器と注入体を形成するためにシールされる材料は、良好な親和性を有している。
【０００９】
従って、食品を取り出す際に、空気が容器内に入って、食品の感覚刺激性を劣化させ、またラベルに表示されている保存可能期間が短縮されることがあるため、所要の密閉度が得られないことが多い。
【００１０】
分解性を考慮し、かつ保存期間を延ばすために、可撓性容器が予め殺菌され、食品が衛生状態（無菌状態）を保持して充填されている場合には、この欠点は、重大である。
【００１１】
前述した可撓性容器用開閉装置も公知であり、この装置のネックの下部には、刃又は同等の切断手段が装着され、該ネックは、注入体内で、容器から刃が最大限離れる位置から、ネックが不可逆的にブロックされて、前記刃により容器は開口され、容器内の食品は流体的に連通する位置まで移動できる。
【００１２】
上記した可撓性容器用の開閉装置は、例えば特許文献１（欧州特許出願第０８０１２２１１．２号）に記載されている。
【００１３】
必要な食品が予め充填された可撓性容器の前記開閉装置は、可撓性容器の壁面の上端を折り曲げることにより形成されたポケットに、その注入体を挿入し、それぞれのシール面で前記対向面及び注入体がシールされるまで、前記ポケットの対向面を結合することにより、このポケット内に部分的に収容させる。
【００１４】
これらの開閉装置は、機能面からは満足できるものであるが、前述の開閉装置を可撓性容器の特殊なポケットに好適に収容することは、時として困難であり、かつ労力を要する。
【００１５】
より詳細に述べると、前記ポケットが湾曲面を有する特殊な形状であるため、注入体をポケットの下端に達するまで挿入し、かつ注入体を実質的に縦方向に位置させることは時として困難である。
【発明の概要】
【発明が解決しようとする課題】
【００１６】
本発明が解決しようとする課題は、前述の公知技術における欠点を解消して、例えば食品や薬品のような流体製品を充填しようとする可撓性容器用開閉装置、及びこれらの流動性製品を充填するための方法を提供にすることである。
【課題を解決するための手段】
【００１７】
本発明によると、前記技術的課題は、注入体とこの注入体に取外し可能に結合された開閉部材を備える流動製品の充填用の開閉装置において、前記注入体の予め決められた外形における周囲部の周りに、実質的に平らで、かつ折り曲げられ、かつシールできる基部を備え、この基部の底部は、孔を有するか、あるいは開口されて、前記注入体を前記可撓性容器の内容物と流体的に連通できるようになっている前記可撓性容器における予め決められた部分にシールされていることを特徴とする開閉装置により解決される。
【００１８】
本明細書では、「流動製品」という語は、液体又は半液体製品、及び粉状又は粒状の食品のような流動性（いわゆる自由流動性を有する固体製品）を意味するものである。これらの製品には、例えば飲料又はジュース、更に生理溶液や種々の薬などの医薬品も含まれる。
【００１９】
本発明の開閉装置の一態様では、注入体は、前記流体製品を供給するための予め決められた軸を有するネックを備え、前記基部は、ネックの下部の、あるいはネックの下端の注入体と一体化され、かつ前記注入体のネックと同軸の孔を有する。
【００２０】
本発明の開閉装置の他の態様では、前記基部は、前記注入体の予め決められた外部下部の周りの基部の折り曲げ、及びシールを容易に行うための少なくとも１本の折り曲げ線を有する。
【００２１】
前記基部は、その注入体の周縁部の外部プロフィールと実質的に等しいプロフィールを有する第１折り曲げ線と、この第１折り曲げ線により区画されるプロフィールの外部に配置された第２の折り曲げ線を備えている。
【００２２】
更に前記基部は、前記第１折り曲げ線で区画されるプロフィール内に位置する第３折り曲げ線を備えている。
【００２３】
本発明の好ましい態様では、前記第１折り曲げ線は、前記基部上の注入体の周縁部の直交する突起の外部に近接して設けられている。
【００２４】
本発明では、前記基部の折り曲げ線は、公知の種々の手法で設けられ、好ましくは、公知の手法、例えば切り込み形成された弱化線である。
【００２５】
本発明の一態様では、前記注入体の周縁部は、予め決められた外部プロフィールとシール用周縁面を有する平らなフランジを備えている。
【００２６】
本発明の他の態様では、前記基部は、ネックの下端で、ネックと一体化されている。
【００２７】
本発明の更に他の態様では、前記注入体は、前記基部と一体成形されたカラーを備え、前記ネックには、前記可撓性容器の予め定めた部分を開口するための適した切断手段が設けられ、かつ前記ネックは、前記切断手段が、前記可撓性容器から最も離れた状態で、前記カラーに位置する上端停止位置と、前記切断手段が最大前進した位置にあり、かつ前記可撓性容器を開口できる下端停止位置との間を、回転しながら移動できる。
【００２８】
また本発明は、前述のタイプの可撓性容器及び開閉装置を備えるパッケージにも関する。
【００２９】
本発明の一態様では、側部が、それぞれの側縁の少なくとも一部に沿ってシールされた、互いに対向する第１壁及び第２壁、及び流体製品を収容する前記壁間の空間、及び前述の開閉装置を備え、この開閉装置の基部は、前記第１壁及び第２壁の内面にシールされるか、折り曲げられ、かつ前記注入体の予め決められた外部プロフィールの前記部分の周囲にシールされていてもよい。更に前記第１壁及び第２壁の前記端部は、互いに折り曲げられ、前記注入体の前記部分との結合により、影響されることなく、かつ場合により、前記基部の残りの部分により影響されるパッケージが提供される。
【００３０】
また本発明は、前述のタイプのパッケージに流体製品を充填する方法にも関する。この方法は、次の工程を備えている。
−互いに対向し、かつ前記第１壁及び第２壁のそれぞれの上端部を除いて、側面がシールされた第１壁及び第２壁を備え、かつ前記第１壁及び第２壁の上端間に形成される口部に沿って開口する可撓性容器を設け、
−前述の開閉装置を設け、
−前記口部を通して、流体製品で前記開口した可撓性容器を充填し、
−前記第１壁及び第２壁の上端を互いに方向変換して、それらを実質的に水平な面に沿って配置し、
−前記開閉装置の基部を、前記第１壁及び第２壁の端部にシールし、
−前記第１壁及び第２壁の前記配置された上端を折り曲げ、前記開閉装置の注入体の予め決められた外部プロフィールの部分の周囲の折り曲げた基部をシールするか、及び／又は前記第１壁及び第２壁の折り曲げた上端を、前記注入体の前記部分との結合により、影響されず、かつ前記基部の残りの部分により影響されることもあるゾーンで、互いにシールする。
【００３１】
本発明の他の態様では、側部が、それぞれの側縁の少なくとも一部に沿ってシールされた、互いに対向する第１壁及び第２壁、及び流体製品を収容する前記壁の間の空間、前記第１壁及び第２壁の上端間を延び、かつ前記第１壁及び第２壁のそれぞれの上端部で前記第１壁及び第２壁に少なくとも側面がシールされたガセット部材、及び請求項８記載の開閉装置を備える流体製品用のパッケージであって、
前記開閉装置は、その基部が、前記ガセット部材にシールされ、前記基部は折り曲げられ、かつ前記注入体の予め決められた外部プロフィールの前記部分の周囲にシールされており、更に前記第１壁及び第２壁の前記端部は、ガセット部材と共に、前記注入体の前記部分との結合により、影響されることなく、かつ前記基部の残りの部分により影響されることもあるゾーンにおいて、互いに折り曲げられているパッケージが提供される。
【００３２】
本発明の他の態様は、前述のタイプのパッケージに流体製品を充填する方法にも関し、この方法は、次のステップを備えている。
−互いに対向し、かつ前記第１壁及び第２壁のそれぞれの上端で終わる、それぞれの端部を除いて、側面がシールされた第１壁及び第２壁、及び前記第１壁及び第２壁の上端間を延び、かつ前記第１壁及び第２壁のそれぞれの上端部で、前記第１壁及び第２壁に少なくとも側面がシールされたガセット部材を備え、かつ前記第１壁及び第２壁の上端間に形成される口部に沿って開口しうる可撓性容器を設け、
−前述のタイプの開閉装置を設け、
−前記口部を通して、流体製品で前記開口した可撓性容器を充填し、
−前記口部の対向端をシールして、前記可撓性容器を密封し、
−前記第１壁及び第２壁の上端の向きを互いに変換して、前記ガセット部材を、実質的に水平な面に沿って配置し、
−前記ガセット部材上に、前記開閉装置の基部をシールし、
−前記基部、及び前記第１壁及び第２壁の前記端部を、前記ガセット部材と共に折り曲げ、前記開閉装置の注入体の予め決められた外部プロフィールの部分の周囲の折り曲げた基部をシールするか、及び／又は前記第１壁及び第２壁の折り曲げた上端を、前記注入体の前記部分との結合により影響されることはなく、かつ前記基部の残りの部分により影響されることもあるゾーンにおいて、互いにシールする。
【００３３】
本発明の方法では、前記シールは、例えば、熱シールや、熱溶接、超音波溶接、接着剤の使用などの公知の方法により行うことができる。
【００３４】
本発明の他の特徴や利点は、添付図面を参照して行う好ましい非限定的な実施例の説明により、更に明らかになると思う。
【図面の簡単な説明】
【００３５】
【図１】本発明の一態様の可撓性容器用開閉装置の全体の斜視図。
【図２】本発明の一態様の可撓性容器用開閉装置の分解の斜視図。
【図３】図１及び図２の開閉装置の断面図。
【図４】図１及び図２の開閉装置の詳細図。
【図５】図１及び図２の可撓性容器と開閉装置を備える本発明のパッケージ中に液体製品を充填する第１段階を示す図。
【図６】同じく第２段階を示す図。
【図７】同じく第３段階を示す図。
【図８】同じく第４段階を示す図。
【図８ａ】図７に例示した充填工程の詳細を示す図。
【図８ｂ】図８に例示した充填工程の詳細を示す図。
【図９】図１及び図２の開閉装置に使用した、可撓性容器を備える本発明のパッケージを示す図。
【図１０】図９のパッケージを開けた場合の、該パッケージの部分断面図。
【図１１】本発明の他の態様による、可撓性容器用開閉装置の斜視図。
【図１２】図１１の開閉装置の断面図。
【図１３】可撓性容器と図１１の開閉装置を備える本発明のパッケージ中に液体製品を充填する第１工程を示す図。
【図１４】同じく第２工程を示す図。
【図１５】同じく第３工程を示す図。
【図１６】図１１の開閉装置に使用した、可撓性容器を備える本発明のパッケージを示す図。
【図１７】図１６のパッケージを開けた場合の、該パッケージの部分図。
【図１８】本発明の開閉装置の基部の一態様を示す図。
【図１９】同じく他の態様を示す図。
【発明を実施するための形態】
【００３６】
図１から図４は、本発明の第１態様の可撓性容器用開閉装置を示す。この開閉体全体は、１で示されている。
【００３７】
前記開閉体１は、主要部材として、平らで折り曲げられる基部２、全体を３で示す注入体、及び縦方向軸Ｘ−Ｘに沿い他の部材と同軸をなすキャップストッパ４を備えている。
【００３８】
前記注入体３は、前記基部２と一体化されたカラー５を備え、カラー５内には、例えば食品や薬品などの液体製品の経路となる前記軸Ｘ−Ｘと同軸状のチャンネル８を有し、更に前記注入体３は、前記チャンネル８に回転自在に係合するネック２２を備え、ネック２２には、下記する可撓性容器の開口用切断手段が設けられている。
【００３９】
前記カラー５は、前記基部２から予め決められた距離にあり、予め決められた外観と、縦軸Ｘ−Ｘ方向の予め決められた厚さを有する平らなフランジ６を有し、フランジ６は、前記カラー５の全周囲に広がっている。より詳細には、フランジ６は、実質的に六角形の周囲形状を有し、前記カラー５と一体化され、かつ後述するように、前記基部２のシールのための厚さを有する全周囲において対向する付属物６ａと表面７を有する。
【００４０】
前記カラー５は、更に前記フランジ６と一体化され、かつその上に近接して位置する環状帯部９を有する。前記環状帯部９は、円周上に連続的に形成された複数の歯１０を有する。その機能については後述する。
【００４１】
前記環状帯部９の代わりに、円周上に連続的に一体的に形成された複数の歯１０を有するリングとしてもよい。このリングは、適宜のブリッジにより、前記カラー５に嵌合保持されている。
【００４２】
前記平らで折り曲げられている基部２は、後述するように可撓性容器にシールされ、第１の部分である中央部２ａと、前記注入体３のフランジ６にシールできる周縁部である第２の部分２ｂとを有する。更に前記基部２におけるフランジ６のシール面の周辺には、前記カラー５内に位置し、前記チャンネル部８と同軸をなす通孔１１と、必要とする可撓性容器に装着した後に、該基部２の折り曲げを容易にするための折り曲げ線とが設けられている。
【００４３】
より詳細に述べると、前記基部２は、実質的に方形であり、前記注入体３のフランジ６のプロフィールに実質的に対応する全体形状を有する、前記基部２の中央部２ａを区画するための前記通孔１１の周囲の第１の折り曲げ線１２と、それぞれのシール面７に沿って、前記フランジ６にシールできる前記基部２の部分２ｂ内の前記第１の折り曲げ線１２で区画されるプロフィールの外に位置する第２の折り曲げ線１３とを有する。
【００４４】
図４に詳細に示すように、第１の折り曲げ線１２は、前記基部２上のフランジ６の突出部の外部に近接して設けられ、これにより該突出部は、前記第１の折り曲げ線１２により区画されている基部２の中央部２ａに位置している。
【００４５】
この非限定的な態様では、前記第２の折り曲げ線１３は、実質的に基部２の端部に到達するまで、前記第１の折り曲げ線１２から、縦方向及び／又は横方向に延びている。  
【００４６】
また前記基部２は、前記の折り曲げ線１２で区画された内部形状を有する基部２の中央部２ａに配置された第３の折り曲げ線１４を備えている。本態様では、これらの第３の折り曲げ線は、対向する第１の折り曲げ線１２間を実質的に横方向に延びている。
【００４７】
前記カラー５内のチャンネル部に、短い軸部に沿って、内側ねじ２８が形成され、後述の通り、前記ネック２２に回転係合されるようになっている。更に１対の環状頂部が、より詳細には、上部頂部２９ａと下部頂部２９ｂが、カラー５の内部に形成されている。前記環状頂部は、前記ネック２２の動きに対する上端ストッパとして機能し、かつ後述の通り、前記内側ねじ２８の上方においてネック２２に形成された対応するリング２９ｃと相互作用する。
【００４８】
より詳細には、前記上端停止位置では、前記ネック２２のリング２９ｃは、前記カラー５の頂部２９ａと下部２９ｂとの間に位置する。更に、前記ネック２２のリング２９ｃは、前記チャンネル８の内壁と好適に相互作用を行い、前記開閉体１が作用して、一旦可撓性容器が開口すると、前記チャンネル８を通って、液体が漏出するのを防止する。
【００４９】
ネック２２は、前記軸Ｘと同軸の円筒体３０を備え、この円筒体３０は、軸断面に沿う外部ねじ３２を有する上端部３１、軸断面に沿う外側ねじ３４を有する下端部３３、及び前記上端部３１及び下端部３３間のねじを有しない中間部３５を有する。
【００５０】
前記円筒体３０は、前記カラー５のチャンネル８と同軸の液体製品通過のためのチャンネル４０を有し、該チャンネル４０は、上端部３１に沿って軸方向に延び、前記下端部３３及び中間部３５は、前記ネック２２の下端及び上端部で開口している。
【００５１】
前記円筒体３０の下端部３３の下端には、軸Ｘ−Ｘに対して偏心した可撓性容器を開くための刃４２が設けられ、この刃４２は、前記軸Ｘ−Ｘに対して傾斜した切断面に沿って、前記円筒体３０を切ることにより得られている。
【００５２】
前記ネック２２は、前記円筒体３０の中間部３５にそれと一体的に形成された円筒シェル３６を有し、この円筒シェル３６の上部には、環状帯部３７に沿って、かつそこから突出するように、円周方向に連続して複数の歯３８が、下部には、前記開閉装置１が作用して、可撓性容器が初めて開口する際に、前記基部のカラー５の歯１０により実質的に結合される内部環状窪み３７を有する。
【００５３】
前記キャップストッパ４は、ヘッド４５と、外部の刻み状凹凸４７と、内部のねじ４８を備え、このねじ４８は、前記ネック２２の上端部３１の外部ねじ３２とともに、必要に応じて、注入体３のネック２２に前記キャップストッパ４をねじ止めし、かつネック２２から外すためのねじ結合を構成している。
【００５４】
また前記キャップストッパ４は、適宜のブリッジ（図示略）により、環状シェル４６に係合され、かつ保持されたリング４９で形成された保証帯を有し、このリング４９は、前記ネック２２の中間部３５の円筒シェル３６の複数の歯３８の間に係合する（実質的に歯車結合に対応する）全体が公知で図示を省略した複数の歯を有する。
【００５５】
このようにして、前記キャップストッパ４は、前記注入体３のネック２２と、回転自在に一体化されている。
【００５６】
前記下端部３３の外側ねじ３４と、前記カラー５のチャンネル８の内側ねじ２８間のねじ結合により、前記ネック２２を、カラー５の下端に回転自在に係合させる。特に、前記ねじ結合は、下端部３３の刃４２を、開閉装置が作用して、可撓性容器から最大限離れた位置のチャンネル１８内に位置する上端停止位置から、前記偏心刃４２が、前記基部２の孔１１を越えて動いて前記可撓性容器に開口を形成し、前記容器の内部空間を中間部３５と、より詳細には、ネック２２のチャンネル４０と流体的に連通させる、前記環状窪み３９が、前記カラー５の歯１０と噛合する下端停止位置へ回転させることを可能にする。
【００５７】
ネック２２の上端部３１の外側ねじ３２と、下端部３３の外側ねじ３４は、実質的に逆方向に切るのが有利である。これは、使用者が、開閉体１が作用する可撓性容器に開口を形成すること、及び続いて単一方向の回転により、前記ネック２２からキャップストッパ４を開けることを容易にするので、好都合である。
【００５８】
図５〜図８は、本発明により、開閉体１を可撓性容器に作用させて、この可撓性容器内に流体製品を充填し、これによりパッケージを形成する方法の主工程を示す。
【００５９】
図５に示すように、本発明の方法は、食品用の好適な材料から成る単一の多層（複合層）又は単一層の可撓性シートで成形された袋からなる可撓性容器５０を利用する。この容器５０は、アルミニウムである金属製材料のシート、又は金属と食品用プラスチック材料（これらに限定されない）の複合シートで形成されている。その代わりに、前記容器５０を、前述の可撓性材料の複数のシートで形成することも可能である。
【００６０】
より詳細には、前記容器５０は、好ましくはガッセトタイプの底部５１、実質的に互いに対向し、かつそれぞれの第１側縁５２ａ、５３ａ及び第２側縁５２ｂ、５３ｂでシールされた第１壁５２及び第２壁５３、及び流体食品、液体又は固体（自由流動性）食品を、前記第１壁５２及び第２壁５３の間に充填するための空間を備えている。
【００６１】
第１壁５２及び第２壁５３間の側面シールは、底部５１から、第１側縁５２ａ、５３ａ及びそれぞれの第２側縁５２ｂ、５３ｂに沿って広がり、それぞれが第１壁５２の上端部５２ｃ及び第２壁５３の上端部５３ｄで終わる第１壁５２の上端部５２ｃ、及び対応する第２壁５３の上端部５３ｃに達している。
【００６２】
それぞれの端部５２ｃ、５３ｃで、第１壁５２及び第２壁５３間は側面シールされ、第１側縁５２ａ、５３ａ及びそれぞれの第２側縁５２ｂ、５３ｂは、袋体の上端に配置され、かつ第１壁５２の上端部５２ｄ及び第２壁５３の上端部５３ｄ間に広がるガセット部材５５にシールされている。
【００６３】
前記ガセット部材５５は、前記第１壁５２及び第２壁５３のいずれかの折り曲げられた端部で形成されていることが好ましい。
【００６４】
しかし、前記ガセット部材５５は、前記第１壁５２及び第２壁５３を形成する１又は２以上の可撓性シートに結合した別の部材（例えば別の可撓性シート）であっても、又は互いに結合した前記第１壁５２及び第２壁５３のそれぞれの折り曲げ部から形成されていても良い。
【００６５】
本発明方法では、前記可撓性容器５０は、第１壁５２及び第２壁５３の上端部５２ｃ、５３ｃ間に形成される口部５６に沿って開いている。より詳細には、本態様では、この口部は、第２壁５３の自由な（シールされていない）上端部５３ｄと、ガセット部材の自由端５５ａの間に形成されている。
【００６６】
この時点で、前記口部５６を通して、バッチャ５９により、予め決められた量の流体製品５８を、依然として開いている前記可撓性容器５０に充填する（図５）。
【００６７】
無菌での充填を行うには、この充填工程の前に、例えば過酸化水素をを使用する公知の方法で、前記可撓性容器５０を消毒する。
【００６８】
充填が完了すると、前記口部５６を閉じて、可撓性容器５０を密封シールする。このシールは、図６で矢示するように、前記ガセット部材５５の自由端５５ａを、第２壁５３の上端部５３ｄにシールして、前記口部５６を閉じることにより行う。
【００６９】
本発明の方法では、この時点で、前記開閉体１のそれぞれの基部２を、可撓性容器５０のガセット部材５５にシールする。これは、第１壁５２の上端部５２ｃと第２壁５３の上端部５３ｃを、互いに方向変換して実質的に完全に前記ガセット部材５５を平面上（水平面に沿って）に位置させ、次いで前記基部２を、前記ガセット部材５５にシールして実行する（図７）。
【００７０】
この態様では、基部２のガセット部材５５へのシールは、実質的に楔状の２個の対向する堅牢なブロック６０を補助的に使用して行うことが好ましく、このブロック６０は、それぞれ第１壁５２の上端部５２ｃと第２壁５３の上端部５３ｃの僅かに下の前記第１壁５２及び第２壁５３に近接する箇所に、互いに近づくように配置する（図７の矢印Ｂ及びＣ）。
【００７１】
これらのブロック６０は、それぞれ実質的に水平な上面６１を有し、その上に、第１壁５２の上端部５２ｃと第２壁５３の上端部５３ｃを保持させ、前記基部２がガセット部材５５に作用して（例えば押し付けられ）、基部２のガセット部材５５への効率的なシールが、容易に行えるようになる。
【００７２】
前記堅牢なブロック６０を、前記第１壁５２及び第２壁５３から離した後（図８の矢印Ｅ）、本発明の方法では、前記基部２を、第１壁５２の上端部５２ｃと、第２壁５３の上端部５３ｃ、及びガセット部材５５とともに折り曲げ、折り曲げられた基部２の少なくとも一部を、前記開閉体１の注入体３のフランジ６の表面７にシールし、かつ前記フランジ６との結合で影響を受けず、かつ前記基部２の残りの部分により影響されても良い、ガセット部材５５の端部領域で、前記第１壁５２及び第２壁５３の折り曲げ部５２ｃ及び５３ｃを互いにシールし（図８の矢印Ｇ）、図９に示す本発明のパッケージ７０を得る。
【００７３】
前記フランジ６の表面７の周囲の基部２の折り曲げは、前記折り曲げ線１２、１３及び１４により容易に行うことができる。より詳細には、図８ａ及び図８ｂにおいて、セットした基部２（図8ａに概略を示す）を、それをガセット部材５５に作用させた後の注入体３の一部（図７に示した）とともに折り曲げると、孔１１で影響されない対向する周縁ゾーンの基部２の中心部２ａの一部が僅かに下降し、かつこれらのゾーンでシールされたガセット部材５５の一部が下降する。この下降は、第３の折り曲げ線１４（図８ｂの矢印Ｈ）により容易に起こる。
【００７４】
更に、前記基部２を折り曲げると、前記第１壁５２の上端部５２ｃを有する基部２の周縁部２ｂ、前記第２壁５３の上端部５３ｃ、及びガセット部材５５の残りの部分が上昇する。この上昇は、第１の折り曲げ線１２及び第２の折り曲げ線１３（特に、長手方向に延びる線１３）の少なくとも一部により容易になる。
【００７５】
更に、前記折り曲げ線の特定形状のため、一旦折り曲げられると、前記基部２は、その内部プロフィールが、実質的にフランジ６の外部プロフィールと相補的であるポケットを形成し、これにより、基部２をフランジ６の表面７にシールすること、及びフランジ６との結合により影響されず、かつ基部２の残りの部分により影響されても良い、前記ガセット部材５５の端部ゾーンの第１壁５２及び第２壁５３の折り曲げられた上端部５２ｃ、５３ｃのシールを、容易かつ正確に行う。
【００７６】
本発明の可撓性容器５０を開ける（第１の開口）ために、使用者は、キャップストッパ４を、予め決められた方向（例えば矢印Ｈで示された反時計方向）に、袋体である可撓性容器５０の前記刃の最大前進位置に対応する、刃４２の下端停止位置に達するまで回転させれば十分である。この回転は、刃４２を有するネック２２、及びそれと回転自在に一体化されたキャップストッパ４を下降させ、前記刃４２が基部２の孔１１を横切ると、この刃は、前記ガセット部材５５において、可撓性容器５０を開口する。ネック２２が上端停止位置から下降すると、カラー５の下部環状頂部２９ｂの下方のリング２９ｃに通路が形成されて（回転力、及び環状頂部２９ａ、２９ｃの成分材料が十分な弾性を有するため）、円筒シェル３６を、その内部の環状凹部３９で環状帯９の歯１０と結合させることにより、ネック２２がカラー５でブロックされる下端停止位置に達するまで下降する。
【００７７】
前記基部２の中央部２ａの端部ゾーンの充填の間に行われる下降により、基部２の通孔１１に位置するガセット部材５５の一部は、これらの端部ゾーンと比較して僅かに上昇した位置にあるものとともに十分に緊張し、刃４２で可撓性容器５０を容易に開口する。
【００７８】
この時点で、キャップストッパ４の同方向回転を続けると、保証帯を構成するリング４９は裂け、キャップストッパ４がネック２２から外れ、袋体５０内の内容物を取り出せる。ストッパ４が外れた後の前記パッケージ６０の第１開口の最終的結果を図１０に示す。
【００７９】
前記パッケージ１は、袋体５０内の流体製品の所望量を取り出した後に、使用者が、キャップストッパ４をネック２２の上端部３１にねじ止めすることにより、容易に再度閉じることができることは注目すべきであり、前記キャップストッパ４は、内部環状凹部３９で、円筒シェル３６を環状帯９の歯１０と係合させることにより、その位置に強く保持できる。
【００８０】
図１１及び図１２は、本発明の可撓性容器用開閉の他の態様を示す。この開閉装置の全体を１０１で示してある。
【００８１】
前述の開閉装置の対応部材と構造的及び／又は機能的に等価である開閉装置１０１の部材には、１００を足した同じ符号を付してある。
【００８２】
前記開閉装置１０１は、主要部材として、縦軸Ｘ−Ｘに沿って、互いに同軸的である、平らで折り曲げられる基部１０２、全体が１０３で示された注入体１０３、及びキャップストッパ１０４を備えている。
【００８３】
前記注入体１０３は、前記基部１０２と一体化し、その上に位置する実質的に円筒状のネック１２２を備え、ネック１２２は、流体製品を通すための、前記軸Ｘ−Ｘと同軸のチャンネル１４０を内部に有している。
【００８４】
前記ネック１２２は、その外方で、前記基部１０２から予め決められた距離にある、予め決められた外部プロフィールと、前記縦軸Ｘ−Ｘに沿った予め決められた厚さを有する平らなフランジ１０６を有し、このフランジ１０６は、前記ネック１２２の全周囲に広がっている。
【００８５】
より詳細には、前記フランジ１０６は、前記ネック１２２と一体成形され、かつ前記基部１０２へのシールのための厚さだけ、その全周囲に沿って形成された付属物１０６ａと、表面１０７を有する実質的に六角形の外形を有する。
【００８６】
前記ネックは、フランジ１０６の上方に、周縁上に連続する複数の歯１３８を有し、かつこの歯１３８の上方に外部ねじ３２を有する。
【００８７】
キャップストッパ１０４は、ヘッド１４５と、外部の刻み状凹凸１４７を、内部のねじ１４８を備え、このねじ１４８は、前記ネック１２２の外部ねじ３２とともに、必要に応じて、注入体１０３のネック１２２に前記キャップストッパ１０４をねじ止めし、かつネック１２２から外すためのねじ結合を構成している。
【００８８】
前記キャップストッパ１０４は、好適なブリッジ（図示略）により、環状シェル１４６に係合され、かつ保持されたリング１４９で形成された保証帯を有し、このリング１４９は、前記ネック１２２の複数の歯１３８の間に係合する（実質的に歯車結合に対応する）図示を省略した複数の歯を有する。
【００８９】
前記平らで折り曲げられる基部１０２は、後述するように可撓性容器にシールされ、第１の実質的な中央部１０２ａと、前記注入体１０３のフランジ１０６にシールできる周縁部１０２ｂを有する。更に前記基部１０２は、前記ネック１２２内に前記チャンネル１４０と同軸的な通孔１１と、それを必要とする可撓性容器に装着した後に、該基部１０２の折り曲げを容易にするための折り曲げ線を、前記フランジ１０６のシール面の周囲に有する。
【００９０】
より詳細には、前記基部１０２は、実質的に方形であり、前記注入体１０３のフランジ１０６のプロフィールに実質的に等しい（対応する）全体形状を有する、前記基部１０２の中央部１０２ａを区画するための前記通孔１１１の周囲の第１の折り曲げ線１１２と、それぞれのシール面１０７に沿って前記フランジ１０６にシールできる前記基部１０２の部分１０２ｂ内の前記第１の折り曲げ線１１２で区画されるプロフィールの外に位置する第２の折り曲げ線１１３を有する。
【００９１】
第１の折り曲げ線１１２は、前記基部１０２上のフランジ１０６の突出部の外部に、それと近接して形成され、これにより突出部は、前記第１の折り曲げ線１１２により区画されている基部１０２の中央部１０２ａに位置している。
【００９２】
この非限定的な態様では、前記第２の折り曲げ線１１３は、実質的に基部２の端部に到達するまで、前記第１の折り曲げ線１１２から縦方向、及び／又は横方向に延びている。
【００９３】
さらに前記基部１０２は、前記態様の折り曲げ線１１２で区画された内部形状を有する基部１０２の部分１０２ａに配置された第３の折り曲げ線１１４を備えている。本態様では、これらの第３の折り曲げ線は、対向する第１の折り曲げ線１１２間を実質的に横方向に延びている。
【００９４】
図１３から図１５は、本発明により、開閉装置１０１を可撓性容器に作用させて、この可撓性容器内に流体製品を充填し、これにより、パッケージを形成する方法の主工程を示す。
【００９５】
図１３及び図１４を参照すると、本発明の方法では、食品用の好適な材料から成る単一の多層（複合層）又は単一層の可撓性シートで成形された袋体からなる全体が符号１５０で示された可撓性容器を利用する。この容器は、限定的ではないが、アルミニウムである金属製材料のシート、又は金属と食品用プラスチック材料の複合シートで形成できる。その代わりに、前記袋体１５０を、前述の可撓性材料の複数のシートで形成することも可能である。
【００９６】
より詳細には、前記袋体１５０は、好ましくはガッセトタイプの底部１５１、実質的に互いに対向し、かつそれぞれの第１側縁１５２ａ、１５３ａ、及びそれぞれの第２側縁１５２ｂ、１５３ｂでシールされた第１壁１５２及び第２壁１５３、及び流体食品、液体又は固体（自由流動性）を前記第１壁１５２及び第２壁１５３間に充填するための空間を備えている。
【００９７】
第１壁１５２及び第２壁１５３間の側面シールは、底部１５１から、第１側縁１５２ａ、１５３ａ、及びそれぞれの第２側縁１５２ｂ、１５３ｂに沿って広がり、それぞれが第１壁１５２の上端部１５２ｃ及び第２壁１５３の上端部１５３ｄで終わる、第１壁１５２の上端部１５２ｃ、及び対応する第２壁１５３の上端部１５３ｃに達している。
【００９８】
本発明の方法では、前記可撓性袋体１５０は、第１壁１５２及び第２壁１５３の上端部１５２ｃ、１５３ｃ間に形成されている口部１５６に沿って開いており、それを通して、可撓性容器１５０に、前述の可撓性容器５０に関して既に説明したのと同様に、流体食品が充填される。
【００９９】
充填が完了すると、開閉装置１０１の基部１０２を、第１壁１５２と第２壁１５３の上端部１５２ｃと上端部１５３ｃに対してシールする。これは、第１壁１５２の上端部１５２ｃと第２壁１５３の上端部１５３ｃを、互いに方向変換させて実質的に完全に、それらを平面上（つまり互いに平らな角を形成する）に位置させ、次いで前記基部１０２を、上端部１５２ｃ、１５３ｃの内部表面（現時点で見える）に作用させ、かつシールして実行する（図１３及び１４の矢印Ｌ）。
【０１００】
本態様では、基部１０２の上端部１５２ｃ、１５３ｃへのシールは、実質的に楔状の２個の対向する堅牢なブロック１６０を補助的に使用して行うことが好ましく、このブロック１６０は、それぞれ、第１壁１５２の上端部１５２ｃと第２壁１５３の上端部１５３ｃの僅かに下の前記第１壁１５２及び第２壁１５３に近接する箇所に、互いに近づくように配置される。
【０１０１】
これらのブロック１６０は、それぞれ実質的に水平な上面１６１を有し、その上に、第１壁１５２の上端部１５２ｃと第２壁１５３の上端部１５３ｃが位置し、かつ保持され、前記基部１０２が作用して（例えば押し付けられ）、基部１０２のより効率的なシールが容易に行えるようになる。
【０１０２】
前記堅牢なブロック１６０を、前記第１壁１５２及び第２壁１５３から離した後、本発明の方法では、前記基部１０２を、第１壁１５２の上端部１５２ｃと第２壁１５３の上端部１５３ｃを折り曲げ（図１５の矢印Ｍ）、折り曲げた基部１０２の少なくとも一部を注入体１０３のフランジ１０６のシール面１０７にシールし、かつ前記フランジ１０６との結合により、影響を受けず、また前記基部１０２の残りの部分により、影響されることのあるそれぞれの端部領域中の第１壁１５２及び第２壁１５３の前記折り曲げ部１５２ｃ及び１５３ｃを互いにシールすることにより、図１６に示す本発明のパッケージ１７０を得る工程を実施する。
【０１０３】
前記フランジ１０６のシール面１０７の周囲の基部１０２の折り曲げは、前記装置１の基部２の折り曲げに関して説明したのと同様に、前記折り曲げ線１１２、１１３及び１１４により、容易に行うことができる。更に、前記折り曲げ線の特定形状のため、一旦折り曲げられると、前記基部１０２は、その内部プロフィールが、実質的にフランジ１０６の外部プロフィールと相補的であるポケットを形成し、これにより、基部１０２をフランジ１０６のシール面１０７のフランジ１０６にシールすること、及びフランジ１０６との結合により影響されずかつ基部１０２の残りの部分により影響されても良い、端部ゾーンの前記第１壁１５２及び第２壁１５３の折り曲げられた端部１５２ｃ、１５３ｃのシールを容易かつ正確に行うことができる。
【０１０４】
本発明のパッケージ１７０を開ける（第１の開口）ためには、使用者は、キャップストッパ１０４を予め決められた方向に回転させれば十分であり、これにより、保証帯を構成するリング１４９が裂け、続いてネック１２２からキャップストッパ１０４が外れ、袋体１５０内の内容物を取り出すころができる。ストッパ１０４が外れた後の前記パッケージ１７０の第１開口の最終形態を、図１７に示す。
【０１０５】
前記パッケージ１７０は、袋体１５０内の流体製品の所望量を取り出した後に、使用者が、キャップストッパ１０４をネック１２２にねじ止めすることにより、容易に再度閉じることができる。
【０１０６】
図１８及び図１９は、本発明の開閉装置の基部の多くの可能な態様のうちの幾つかを示している。
【０１０７】
詳細には、図１８は、前述の基部２に全体的に類似している平らで折り曲げ可能な基部２００を示し、実質的に八角形の形状である点で異なっている。
【０１０８】
図１９は、前述の基部２に類似している平らで折り曲げ可能な基部３００を示し、第３の折り曲げ線１４が存在しないこと、及び第１の折り曲げ線１２が前記基部２の場合の六角形でなく実質的に楕円形である点で異なっている。
【０１０９】
当業者は、特許請求の範囲の範囲内で、本発明の開閉装置に、多くの修正及び変更を行うことができることは言うまでもない。
【符号の説明】
【０１１０】
１    開閉装置
２、１０２    基部
２ａ、１０２ａ  中央部
２ｂ、１０２ｂ    周縁部
３、１０３    注入体
４、１０４    キャップストッパ
５    カラー
６、１０６    フランジ
６ａ    附属物
７、１０７    表面
８    チャンネル
９    環状帯
１０    歯
１１、１１１    通孔
１２、１１２    第１の折り曲げ線
１３、１１３    第２の折り曲げ線
１４    第３の折り曲げ線
１８    チャンネル
２２、１２２    ネック
２８    内側ねじ
２９ａ    上部環状頂部
２９ｂ    下部環状頂部
２９ｃ    リング
３０    円筒体
３１    上端部
３２    外部ねじ
３３    下端部
３４    外側ねじ
３５    中間部
３６    円筒シェル
３７    内部環状窪み
３８、１３８    歯
３９    環状凹部
４０、１４０    チャンネル
４２    刃
４５、１４５    ヘッド
１４６  環状シェル
４７、１４７    刻み状凹凸
４８、１４８    ねじ
４９、１４９    リング
５０、１５０    可撓性容器
５１    底部
５２    第１壁
５３    第２壁
５２ａ、５３ａ    第１側縁
５２ｂ、５３ｂ    第２側縁
５２ｃ、５３ｃ、５２ｄ、５３ｄ    上端部
５５    ガセット部材
５５ａ    自由端
５６    口部
５８    流体製品
５９    バッチャ
６０    ブロック
６１    上面
７０    パッケージ
１０１    開閉装置
【図１】
2012532812.tif 000003
【図２】
2012532812.tif 000004
【図３】
2012532812.tif 000005
【図４】
2012532812.tif 000006
【図５】
2012532812.tif 000007
【図６】
2012532812.tif 000008
【図７】
2012532812.tif 000009
【図８】
2012532812.tif 000010
【図８ａ】
2012532812.tif 000011
【図８ｂ】
2012532812.tif 000012
【図９】
2012532812.tif 000013
【図１０】
2012532812.tif 000014
【図１１】
2012532812.tif 000015
【図１２】
2012532812.tif 000016
【図１３】
2012532812.tif 000017
【図１４】
2012532812.tif 000018
【図１５】
2012532812.tif 000019
【図１６】
2012532812.tif 000020
【図１７】
2012532812.tif 000021
【図１８】
2012532812.tif 000022
【図１９】
2012532812.tif 000023
【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
注入体（３、１０３）、該注入体（３、１０３）に除去できるように結合された開閉部材（４、１０４）を備え、可撓性材料から成り、かつ流体製品の充填用である可撓性容器（５０、１５０）用の開閉装置（１，１０１）において、
実質的に平らで、かつ前記容器（５０、１５０）上の前記装置（１，１０１）に装着できる形状を有する基部（２，１０２）を備え、
該基部（２，１０２）は、その底部を、孔を有するか、開口されて、前記注入体（３，１０３）を前記可撓性容器（５０、１５０）の内容物と流体的に連通できるようになっている前記可撓性容器（５０、１５０）の予め決められた部分（５５、１５２ｃ、１５３ｃ）にシールされていることを特徴とする開閉装置（１、１０１）。
【請求項２】
注入体（３、１０３）は、前記流体製品を供給するための予め決められた軸を有するネック（２２、１２２）を備え、前記基部（２，１０２）は、ネック（２２、１２２）の下部、あるいはネックの下端の注入体と一体化され、かつ前記注入体（２２、１２２）のネックと同軸の孔（１１、１１１）を有する請求項１記載の開閉装置（１、１０１）。
【請求項３】
前記基部（２，１０２）は、前記注入体（３、１０３）の予め決められた外部プロフィールの前記部分（６、１０６）の周縁（７、１０７）の周りの基部（２、１０２）の折り曲げ、及びシールを容易に行うための少なくとも１本の折り曲げ線を有する請求項１又は２記載の開閉装置（１、１０１）。
【請求項４】
前記基部（２，１０２）は、注入体（３，１０３）の周縁部（６，１０６）の外部プロフィールに実質的に等しい全体のプロフィールを有する第１折り曲げ線（１２、１１２）と、該第１折り曲げ線（１２、１１２）により区画されるプロフィールの外部に配置される第２の折り曲げ線（１３、１１３）を備える請求項３記載の開閉装置（１、１０１）。
【請求項５】
前記第１折り曲げ線（１２、１１２）は、前記同軸的な孔（１１、１１１）を有する前記基部（２、１０２）の実質的な中央部（２ａ、１０２ａ）を区画し、かつ前記第２折り曲げ線（１３、１１３）は、前記基部（２、１０２）の周縁部（２ｂ、１０２ｂ）に形成され、前記周縁部（２ｂ、１０２ｂ）は、前記注入体（３、１０３）の予め決められた外部プロフィールの前記周縁部（６、１０６）にシール可能である請求項４記載の開閉装置（１、１０１）。
【請求項６】
前記基部（２、１０２）は、前記第１折り曲げ線（１２、１１２）により区画されるプロフィール内に配置される第３折り曲げ線を備える請求項４又は５記載の開閉装置（１、１０１）。
【請求項７】
前記第１折り曲げ線（１２、１１２）は、前記基部（２、１０２）上の注入体（３、１０３）の周縁部（６、１０６）の直交する突起の外部に近接して形成される請求項４〜６のいずれか１項に記載の開閉装置（１、１０１）。
【請求項８】
前記注入体（３、１０３）の前記周縁部は、予め決められた外部プロフィールとシール用周縁面（７、１０７）を有する平らなフランジ（６、１０６）を備える請求項１〜７のいずれか１項に記載の開閉装置（１、１０１）。
【請求項９】
前記基部（２、１０２）は、ネック（１２２）の下端で、該ネックと一体化されている請求項２〜８のいずれか１項に記載の開閉装置（１、１０１）。
【請求項１０】
前記注入体（３、１０３）は、前記基部（２）と一体化成形されたカラー（５）を備え、前記ネックには、前記可撓性容器（５０）の予め決定された部分を開口するために適した切断手段（４２）が装置され、かつ前記ネック（２２）は、前記切断手段（４２）が、前記可撓性容器（５０）から最も離れた状態で前記カラー（５）に位置する上端停止位置と、前記切断手段（４２）が最大前進した位置にありかつ前記可撓性容器（５０）を開口できる下端停止位置間で回転しながら移動できるようにした請求項２〜８のいずれか１項に記載の開閉装置（１、１０１）。
【請求項１１】
側部が、それぞれの側縁（１５２ａ、１５２ｂ、１５３ａ、１５３ｂ）の少なくとも一部に沿ってシールされた、互いに対向する第１壁（１５２）及び第２壁（１５３）、及び流体製品を収容する前記壁間の空間、及び請求項１〜９のいずれか１項に記載の開閉装置を備えるパッケージ（１７０）であって、
前記開閉装置は、その基部（１０２）が、前記第１壁（１５２）及び第２壁（１５３）の内面にシールされ、前記基部（１０２）は折り曲げられ、かつ前記注入体（１０３）の予め決められた外部プロフィールの前記部分（１０６）の周囲にシールされていても良く、更に前記第１壁（１５２）及び第２壁（１５３）の前記端部（１５２ｃ、１５３ｃ）は互いに折り曲げられ、前記注入体（１０３）の前記部分（１０６）との結合で影響されずかつ前記基部の残りの部分により影響されても良いパッケージ（１７０）。
【請求項１２】
側部が、それぞれの側縁（５２ａ、５２ｂ、５３ａ、５３ｂ）の少なくとも一部に沿ってシールされた、互いに対向する第１壁（５２）及び第２壁（５３）、及び流体製品を収容する前記壁間の空間、前記第１壁（５２）及び第２壁（５３）の上端（５２ｄ、５３ｄ）間を延びかつ前記第１壁（５２）及び第２壁（５３）のそれぞれの上端部（５２ｃ、５３ｃ）で前記第１壁（５２）及び第２壁（５３）に少なくとも側面がシールされたガセット部材（５５）、及び請求項１０記載の開閉装置を備える流体製品用のパッケージ（７０）であって、
前記開閉装置の基部（２）は、前記ガセット部材（５５）にシールされ、前記基部（２）は折り曲げられ、かつ前記注入体（３）の予め決められた外部プロフィールの前記部分（６）の周囲にシールされていても良く、更に前記第１壁（５２）及び第２壁（５３）の前記端部（５２ｃ、５３ｃ）はガセット部材（５５）と共に、前記注入体（３）の前記部分（６）との結合で影響されず、かつ前記基部の残りの部分により影響されても良いゾーンで、互いに折り曲げられているパッケージ（７０）。
【請求項１３】
互いに対向し、かつ前記第１壁（１５２）及び第２壁（１５３）のそれぞれの上端で終わる、それぞれの端部（１５２ｃ、１５３ｃ）を除いて、側面がシールされた第１壁（１５２）及び第２壁（１５３）を備え、かつ前記第１壁（１５２）及び第２壁（１５３）の上端（１５２ｃ、１５３ｃ）間に形成される口部（５６）に沿って開口する可撓性容器（１５０）を準備し、
請求項１〜９のいずれか１項に記載の開閉装置（１０１）を準備し、
前記口部（５６）を通して、流体製品で前記開口した可撓性容器を充填し、
前記第１壁（１５２）及び第２壁（１５３）の上端（１５２ｃ、１５３ｃ）を互いに方向変換して、それらを実質的に水平な面に沿って配置し、
前記開閉装置（１０１）の基部（１０２）を、前記第１壁（１５２）及び第２壁（１５３）の端部（１５２ｃ、１５３ｃ）にシールし、
前記第１壁（１５２）及び第２壁（１５３）の前記配置された上端（１５２ｃ、１５３ｃ）を折り曲げ、前記開閉装置（１０１）の注入体（１０３）の予め決められた外部プロフィールの部分（１０６）の周囲の折り曲げた基部（１０２）をシールし、及び／又は前記第１壁（１５２）及び第２壁（１５３）の折り曲げた上端（１５２ｃ、１５３ｃ）を、前記注入体（１０３）の前記部分（１０６）との結合で影響されず、かつ前記基部（１０２）の残りの部分により影響されても良いゾーンで、互いにシールする、
各工程を備える請求項１１記載のパッケージに、流体製品を充填する方法。
【請求項１４】
互いに対向し、かつ前記第１壁（５２）及び第２壁（５３）のそれぞれの上端で終わる、それぞれの端部（５２ｃ、５３ｃ）を除いて、側面がシールされた第１壁（５２）及び第２壁（５３）、及び前記第１壁（５２）及び第２壁（５３）の上端（５２ｄ、５３ｄ）間を延び、かつ前記第１壁（５２）及び第２壁（５３）のそれぞれの上端部（５２ｃ、５３ｃ）で前記第１壁（５２）及び第２壁（５３）に少なくとも側面がシールされたガセット部材（５５）を備え、かつ前記第１壁（５２）及び第２壁（５３）の上端（５２ｃ、５３ｃ）間に形成される口部（５６）に沿って開口する可撓性容器（５０）を準備し、
請求項１０記載の開閉装置（１）を準備し、
前記口部（５６）を通して、流体製品で前記開口した可撓性容器（５０）を充填し、
前記口部（５６）の対向端をシールして、前記可撓性容器を密封し、
前記第１壁（５２）及び第２壁（５３）の上端（５２ｃ、５３ｃ）を互いに方向変換して、前記ガセット部材（５５）を実質的に水平な面に沿って配置し、
前記ガセット部材（５５）上に、前記開閉装置（１）の基部（２）をシールし、
前記基部（２）、及び前記第１壁（５２）及び第２壁（５３）の前記端部（５２ｃ、５３ｃ）を前記ガセット部材（５５）と共に折り曲げ、前記開閉装置（１）の注入体（３）の予め決められた外部プロフィールの部分（６）の周囲の折り曲げた基部（２）をシールし、及び／又は前記第１壁（５２）及び第２壁（５３）の折り曲げた上端（５２ｃ、５３ｃ）を、前記注入体（３）の前記部分（６）との結合で影響されず、かつ前記基部（２）の残りの部分により影響されても良いゾーンで、互いにシールする、
各工程を備える請求項１２記載のパッケージに、流体製品を充填する方法。
【手続補正２】
【補正対象書類名】明細書
【補正対象項目名】全文
【補正方法】変更
【補正の内容】
【発明の詳細な説明】
【技術分野】
【０００１】
本発明は、広義では、流動製品の充填の分野に関する。
【０００２】
より詳細には、本発明は、例えば食品や薬品などの流動製品を充填するための袋体や小袋などの可撓性材料製容器の開閉蓋に関する。
【０００３】
また本発明は、可撓性容器を有する流動製品用パッケージ、及び開閉蓋、更に前記パッケージ内に液動製品を充填する方法にも関する。
【背景技術】
【０００４】
例えば飲料やジュースなどの液体又は半液体状食品、及び粉状又は粒状の食品のような流動性を有する食品を充填するために使用される袋体や小袋などの可撓性材料製容器の開閉蓋は周知である。
【０００５】
これらの容器は、一般に、少なくとも側面が折り曲げられ、かつシールされた好ましい可撓性材料から成る１枚のシート（又は数枚のシート）からなっており、該シートにより、底部と、２枚の対向する壁面が形成され、両壁面間には、食品用の内部空間が形成され、かつ対向する壁面の上端には、所望の食品を注入するための注入口が設けられている。
【０００６】
より詳細に述べると、前記タイプの可撓性容器用の開閉体は公知であり、食品注入用のネックを有する硬質なプラスチック製の注入口、及びネックの上端に回転自在に装着された、通常は開閉式であるキャップを備え、必要に応じて、キャップをネックに装着したり、ネックから離脱させたりするためのねじ込み式栓蓋を備えている。
【０００７】
更に前記注入体は、適切なシール面を有し、これにより前記注入口は、予め食品が充填された可撓性容器の対向部分に、例えば押圧などの公知技術によってシールされ、熱い食品の場合には、前記口部の対向部分を、互いに、かつ予め前記部分間に設けた注入口のシール面に押圧する。
【０００８】
しかし、前記タイプの開閉装置を、開いている可撓性容器の注入口に好適に、すなわち液密にシールすることは、現在の技術では困難である。前記注入口は、具体的には、注入体のシール面の端部に近いゾーンであり、ここでは、注入口の対向部の壁面は互いに結合され、前記注入体のシール面に結合するために方向を変えられており、更に容器と注入体を形成するためにシールされる材料は、良好な親和性を有している。
【０００９】
従って、食品を取り出す際に、空気が容器内に入って、食品の感覚刺激性を劣化させ、またラベルに表示されている保存可能期間が短縮されることがあるため、所要の密閉度が得られないことが多い。
【００１０】
分解性を考慮し、かつ保存期間を延ばすために、可撓性容器が予め殺菌され、食品が衛生状態（無菌状態）を保持して充填されている場合には、この欠点は、重大である。
【００１１】
前述した可撓性容器用開閉装置も公知であり、この装置のネックの下部には、刃又は同等の切断手段が装着され、該ネックは、注入体内で、容器から刃が最大限離れる位置から、ネックが不可逆的にブロックされて、前記刃により容器は開口され、容器内の食品は流体的に連通する位置まで移動できる。
【００１２】
上記した可撓性容器用の開閉装置は、例えば特許文献１（欧州特許出願第０８０１２２１１．２号）に記載されている。
【００１３】
必要な食品が予め充填された可撓性容器の前記開閉装置は、可撓性容器の壁面の上端を折り曲げることにより形成されたポケットに、その注入体を挿入し、それぞれのシール面で前記対向面及び注入体がシールされるまで、前記ポケットの対向面を結合することにより、このポケット内に部分的に収容させる。
【００１４】
これらの開閉装置は、機能面からは満足できるものであるが、前述の開閉装置を可撓性容器の特殊なポケットに好適に収容することは、時として困難であり、かつ労力を要する。
【００１５】
より詳細に述べると、前記ポケットが湾曲面を有する特殊な形状であるため、注入体をポケットの下端に達するまで挿入し、かつ注入体を実質的に縦方向に位置させることは時として困難である。
【００１６】
特許文献１は、脱離可能なキャップを有する注入体（排出管）及び前記注入体に装着されたフィルム状の基部を備える可撓性容器用のキャップタイプの閉塞体を開示している。前記フィルム１８は、その周縁が２０が、前記容器の上部にシールされる形状を有している。
【００１７】
特許文献２は、脱離可能なキャップを有する注入体（管２５）及び平面シート状フィルム状の基部を含むキャップタイプの閉塞体を装着した可撓性容器開示している。
【００１８】
特許文献３は、
（ａ）その上部に内容物を充填し、かつ縦方向に袋体を保持するための開口部を有する自己保持型の前記袋体を供給する工程と、
（ｂ）前記自己保持型の前記袋体を開口部を開口する工程と、
（ｃ）前記自己保持型の前記袋体に内容物を充填する工程と、
（ｄ）船形のフランジにストッパ付き出口を有する出口ストッパを、前記開口部に装着し、
（ｅ）前記出口ストッパの主要部の船形のフランジの側面を、自己保持型の前記袋体の開口部の内側面にシールする工程から成り、
各工程を、（ａ）、（ｂ）（ｃ）（ｄ）及び（ｅ）の順序で行う、前記出口ストッパを有する自己保持型のパッケージの製造方法を開示している。
【先行技術文献】
【特許文献】
【００１９】
【特許文献１】国際特許公開公報第２００６／１０３０２０号
【特許文献２】ドイツ特許公報第９００６７４４号
【特許文献３】欧州特許公報第０６６１２０８号
【発明の概要】
【発明が解決しようとする課題】
【００２０】
本発明が解決しようとする課題は、前述の公知技術における欠点を解消して、例えば食品や薬品のような流体製品を充填しようとする可撓性容器用開閉装置、及びこれらの流動性製品を充填するための方法を提供にすることである。
【課題を解決するための手段】
【００２１】
本発明によると、前記技術的課題は、注入体とこの該注入体に取外し可能に結合された開閉部材を備える流動製品の充填用の開閉装置において、前記注入体の予め決められた外形における周囲部の周りに、実質的に平らで、かつ折り曲げられ、かつシールできる基部を備え、この基部の底部は、孔を有するか、あるいは開口されて、前記注入体を前記可撓性容器の内容物と流体的に連通できるようになっている前記可撓性容器における予め決められた部分にシールされていることを特徴とする開閉装置により解決される。
【００２２】
本明細書では、「流動製品」という語は、液体又は半液体製品、及び粉状又は粒状の食品のような流動性（いわゆる自由流動性を有する固体製品）を意味するものである。これらの製品には、例えば飲料又はジュース、更に生理溶液や種々の薬などの医薬品も含まれる。
【００２３】
本発明の開閉装置の一態様では、注入体は、前記流体製品を供給するための予め決められた軸を有するネックを備え、前記基部は、ネックの下部の、あるいはネックの下端の注入体と一体化され、かつ前記注入体のネックと同軸の孔を有する。
【００２４】
本発明の開閉装置の他の態様では、前記基部は、前記注入体の予め決められた外部下部の周りの基部の折り曲げ、及びシールを容易に行うための少なくとも１本の折り曲げ線を有する。
【００２５】
前記基部は、その注入体の周縁部の外部プロフィールと実質的に等しいプロフィールを有する第１折り曲げ線と、この第１折り曲げ線により区画されるプロフィールの外部に配置された第２の折り曲げ線を備えている。
【００２６】
更に前記基部は、前記第１折り曲げ線で区画されるプロフィール内に位置する第３折り曲げ線を備えている。
【００２７】
本発明の好ましい態様では、前記第１折り曲げ線は、前記基部上の注入体の周縁部の直交する突起の外部に近接して設けられている。
【００２８】
本発明では、前記基部の折り曲げ線は、公知の種々の手法で設けられ、好ましくは、公知の手法、例えば切り込み形成された弱化線である。
【００２９】
本発明の一態様では、前記注入体の周縁部は、予め決められた外部プロフィールとシール用周縁面を有する平らなフランジを備えている。
【００３０】
本発明の他の態様では、前記基部は、ネックの下端で、ネックと一体化されている。
【００３１】
本発明の更に他の態様では、前記注入体は、前記基部と一体成形されたカラーを備え、前記ネックには、前記可撓性容器の予め定めた部分を開口するための適した切断手段が設けられ、かつ前記ネックは、前記切断手段が、前記可撓性容器から最も離れた状態で、前記カラーに位置する上端停止位置と、前記切断手段が最大前進した位置にあり、かつ前記可撓性容器を開口できる下端停止位置との間を、回転しながら移動できる。
【００３２】
また本発明は、前述のタイプの可撓性容器及び開閉装置を備えるパッケージにも関する。
【００３３】
本発明の一態様では、側部が、それぞれの側縁の少なくとも一部に沿ってシールされた、互いに対向する第１壁及び第２壁、及び流体製品を収容する前記壁間の空間、及び前述の開閉装置を備え、この開閉装置の基部は、前記第１壁及び第２壁の内面にシールされるか、折り曲げられ、かつ前記注入体の予め決められた外部プロフィールの前記部分の周囲にシールされていてもよい。更に前記第１壁及び第２壁の前記端部は、互いに折り曲げられ、前記注入体の前記部分との結合により、影響されることなく、かつ場合により、前記基部の残りの部分により影響されるパッケージが提供される。
【００３４】
また本発明は、前述のタイプのパッケージに流体製品を充填する方法にも関する。この方法は、次の工程を備えている。
−互いに対向し、かつ前記第１壁及び第２壁のそれぞれの上端部を除いて、側面がシールされた第１壁及び第２壁を備え、かつ前記第１壁及び第２壁の上端間に形成される口部に沿って開口する可撓性容器を設け、
−前述の開閉装置を設け、
−前記口部を通して、流体製品で前記開口した可撓性容器を充填し、
−前記第１壁及び第２壁の上端を互いに方向変換して、それらを実質的に水平な面に沿って配置し、
−前記開閉装置の基部を、前記第１壁及び第２壁の端部にシールし、
−前記第１壁及び第２壁の前記配置された上端を折り曲げ、前記開閉装置の注入体の予め決められた外部プロフィールの部分の周囲の折り曲げた基部をシールするか、及び／又は前記第１壁及び第２壁の折り曲げた上端を、前記注入体の前記部分との結合により、影響されず、かつ前記基部の残りの部分により影響されることもあるゾーンで、互いにシールする。
【００３５】
本発明の他の態様では、側部が、それぞれの側縁の少なくとも一部に沿ってシールされた、互いに対向する第１壁及び第２壁、及び流体製品を収容する前記壁の間の空間、前記第１壁及び第２壁の上端間を延び、かつ前記第１壁及び第２壁のそれぞれの上端部で前記第１壁及び第２壁に少なくとも側面がシールされたガセット部材、及び請求項８記載の開閉装置を備える流体製品用のパッケージであって、
前記開閉装置は、その基部が、前記ガセット部材にシールされ、前記基部は折り曲げられ、かつ前記注入体の予め決められた外部プロフィールの前記部分の周囲にシールされており、更に前記第１壁及び第２壁の前記端部は、ガセット部材と共に、前記注入体の前記部分との結合により、影響されることなく、かつ前記基部の残りの部分により影響されることもあるゾーンにおいて、互いに折り曲げられているパッケージが提供される。
【００３６】
本発明の他の態様は、前述のタイプのパッケージに流体製品を充填する方法にも関し、この方法は、次のステップを備えている。
−互いに対向し、かつ前記第１壁及び第２壁のそれぞれの上端で終わる、それぞれの端部を除いて、側面がシールされた第１壁及び第２壁、及び前記第１壁及び第２壁の上端間を延び、かつ前記第１壁及び第２壁のそれぞれの上端部で、前記第１壁及び第２壁に少なくとも側面がシールされたガセット部材を備え、かつ前記第１壁及び第２壁の上端間に形成される口部に沿って開口しうる可撓性容器を設け、
−前述のタイプの開閉装置を設け、
−前記口部を通して、流体製品で前記開口した可撓性容器を充填し、
−前記口部の対向端をシールして、前記可撓性容器を密封し、
−前記第１壁及び第２壁の上端の向きを互いに変換して、前記ガセット部材を、実質的に水平な面に沿って配置し、
−前記ガセット部材上に、前記開閉装置の基部をシールし、
−前記基部、及び前記第１壁及び第２壁の前記端部を、前記ガセット部材と共に折り曲げ、前記開閉装置の注入体の予め決められた外部プロフィールの部分の周囲の折り曲げた基部をシールするか、及び／又は前記第１壁及び第２壁の折り曲げた上端を、前記注入体の前記部分との結合により影響されることはなく、かつ前記基部の残りの部分により影響されることもあるゾーンにおいて、互いにシールする。
【００３７】
本発明の方法では、前記シールは、例えば、熱シールや、熱溶接、超音波溶接、接着剤の使用などの公知の方法により行うことができる。
【００３８】
本発明の他の特徴や利点は、添付図面を参照して行う好ましい非限定的な実施例の説明により、更に明らかになると思う。
【図面の簡単な説明】
【００３９】
【図１】本発明の一態様の可撓性容器用開閉装置の全体の斜視図。
【図２】本発明の一態様の可撓性容器用開閉装置の分解の斜視図。
【図３】図１及び図２の開閉装置の断面図。
【図４】図１及び図２の開閉装置の詳細図。
【図５】図１及び図２の可撓性容器と開閉装置を備える本発明のパッケージ中に液体製品を充填する第１段階を示す図。
【図６】同じく第２段階を示す図。
【図７】同じく第３段階を示す図。
【図８】同じく第４段階を示す図。
【図８ａ】図７に例示した充填工程の詳細を示す図。
【図８ｂ】図８に例示した充填工程の詳細を示す図。
【図９】図１及び図２の開閉装置に使用した、可撓性容器を備える本発明のパッケージを示す図。
【図１０】図９のパッケージを開けた場合の、該パッケージの部分断面図。
【図１１】本発明の他の態様による、可撓性容器用開閉装置の斜視図。
【図１２】図１１の開閉装置の断面図。
【図１３】可撓性容器と図１１の開閉装置を備える本発明のパッケージ中に液体製品を充填する第１工程を示す図。
【図１４】同じく第２工程を示す図。
【図１５】同じく第３工程を示す図。
【図１６】図１１の開閉装置に使用した、可撓性容器を備える本発明のパッケージを示す図。
【図１７】図１６のパッケージを開けた場合の、該パッケージの部分図。
【図１８】本発明の開閉装置の基部の一態様を示す図。
【図１９】同じく他の態様を示す図。
【発明を実施するための形態】
【００４０】
図１から図４は、本発明の第１態様の可撓性容器用開閉装置を示す。この開閉体全体は、１で示されている。
【００４１】
前記開閉体１は、主要部材として、平らで折り曲げられる基部２、全体を３で示す注入体、及び縦方向軸Ｘ−Ｘに沿い他の部材と同軸をなすキャップストッパ４を備えている。
【００４２】
前記注入体３は、前記基部２と一体化されたカラー５を備え、カラー５内には、例えば食品や薬品などの液体製品の経路となる前記軸Ｘ−Ｘと同軸状のチャンネル８を有し、更に前記注入体３は、前記チャンネル８に回転自在に係合するネック２２を備え、ネック２２には、下記する可撓性容器の開口用切断手段が設けられている。
【００４３】
前記カラー５は、前記基部２から予め決められた距離にあり、予め決められた外観と、縦軸Ｘ−Ｘ方向の予め決められた厚さを有する平らなフランジ６を有し、フランジ６は、前記カラー５の全周囲に広がっている。より詳細には、フランジ６は、実質的に六角形の周囲形状を有し、前記カラー５と一体化され、かつ後述するように、前記基部２のシールのための厚さを有する全周囲において対向する付属物６ａと表面７を有する。
【００４４】
前記カラー５は、更に前記フランジ６と一体化され、かつその上に近接して位置する環状帯部９を有する。前記環状帯部９は、円周上に連続的に形成された複数の歯１０を有する。その機能については後述する。
【００４５】
前記環状帯部９の代わりに、円周上に連続的に一体的に形成された複数の歯１０を有するリングとしてもよい。このリングは、適宜のブリッジにより、前記カラー５に嵌合保持されている。
【００４６】
前記平らで折り曲げられている基部２は、後述するように可撓性容器にシールされ、第１の部分である中央部２ａと、前記注入体３のフランジ６にシールできる周縁部である第２の部分２ｂとを有する。更に前記基部２におけるフランジ６のシール面の周辺には、前記カラー５内に位置し、前記チャンネル部８と同軸をなす通孔１１と、必要とする可撓性容器に装着した後に、該基部２の折り曲げを容易にするための折り曲げ線とが設けられている。
【００４７】
より詳細に述べると、前記基部２は、実質的に方形であり、前記注入体３のフランジ６のプロフィールに実質的に対応する全体形状を有する、前記基部２の中央部２ａを区画するための前記通孔１１の周囲の第１の折り曲げ線１２と、それぞれのシール面７に沿って、前記フランジ６にシールできる前記基部２の部分２ｂ内の前記第１の折り曲げ線１２で区画されるプロフィールの外に位置する第２の折り曲げ線１３とを有する。
【００４８】
図４に詳細に示すように、第１の折り曲げ線１２は、前記基部２上のフランジ６の突出部の外部に近接して設けられ、これにより該突出部は、前記第１の折り曲げ線１２により区画されている基部２の中央部２ａに位置している。
【００４９】
この非限定的な態様では、前記第２の折り曲げ線１３は、実質的に基部２の端部に到達するまで、前記第１の折り曲げ線１２から、縦方向及び／又は横方向に延びている。  
【００５０】
また前記基部２は、前記の折り曲げ線１２で区画された内部形状を有する基部２の中央部２ａに配置された第３の折り曲げ線１４を備えている。本態様では、これらの第３の折り曲げ線は、対向する第１の折り曲げ線１２間を実質的に横方向に延びている。
【００５１】
前記カラー５内のチャンネル部に、短い軸部に沿って、内側ねじ２８が形成され、後述の通り、前記ネック２２に回転係合されるようになっている。更に１対の環状頂部が、より詳細には、上部頂部２９ａと下部頂部２９ｂが、カラー５の内部に形成されている。前記環状頂部は、前記ネック２２の動きに対する上端ストッパとして機能し、かつ後述の通り、前記内側ねじ２８の上方においてネック２２に形成された対応するリング２９ｃと相互作用する。
【００５２】
より詳細には、前記上端停止位置では、前記ネック２２のリング２９ｃは、前記カラー５の頂部２９ａと下部２９ｂとの間に位置する。更に、前記ネック２２のリング２９ｃは、前記チャンネル８の内壁と好適に相互作用を行い、前記開閉体１が作用して、一旦可撓性容器が開口すると、前記チャンネル８を通って、液体が漏出するのを防止する。
【００５３】
ネック２２は、前記軸Ｘ−Ｘと同軸の円筒体３０を備え、この円筒体３０は、軸断面に沿う外部ねじ３２を有する上端部３１、軸断面に沿う外側ねじ３４を有する下端部３３、及び前記上端部３１及び下端部３３間のねじを有しない中間部３６を有する。
【００５４】
前記円筒体３０は、前記カラー５のチャンネル８と同軸の液体製品通過のためのチャンネル４０を有し、該チャンネル４０は、上端部３１に沿って軸方向に延び、前記下端部３３及び中間部３６は、前記ネック２２の下端及び上端部で開口している。
【００５５】
前記円筒体３０の下端部３３の下端には、軸Ｘ−Ｘに対して偏心した可撓性容器を開くための刃４２が設けられ、この刃４２は、前記軸Ｘ−Ｘに対して傾斜した切断面に沿って、前記円筒体３０を切ることにより得られている。
【００５６】
前記ネック２２は、前記円筒体３０の中間部３５にそれと一体的に形成された円筒シェル３６を有し、この円筒シェル３６の上部には、環状帯部３７に沿って、かつそこから突出するように、円周方向に連続して複数の歯３８が、下部には、前記開閉装置１が作用して、可撓性容器が初めて開口する際に、前記基部のカラー５の歯１０により実質的に結合される内部環状窪み３７を有する。
【００５７】
前記キャップストッパ４は、ヘッド４５と、外部の刻み状凹凸４７と、内部のねじ４８を備え、このねじ４８は、前記ネック２２の上端部３１の外部ねじ３２とともに、必要に応じて、注入体３のネック２２に前記キャップストッパ４をねじ止めし、かつネック２２から外すためのねじ結合を構成している。
【００５８】
また前記キャップストッパ４は、適宜のブリッジ（図示略）により、環状シェル４６に係合され、かつ保持されたリング４９で形成された保証帯を有し、このリング４９は、前記ネック２２の中間部３５の円筒シェル３６の複数の歯３８の間に係合する（実質的に歯車結合に対応する）全体が公知で図示を省略した複数の歯を有する。
【００５９】
このようにして、前記キャップストッパ４は、前記注入体３のネック２２と、回転自在に一体化されている。
【００６０】
前記下端部３３の外側ねじ３４と、前記カラー５のチャンネル８の内側ねじ２８間のねじ結合により、前記ネック２２を、カラー５の下端に回転自在に係合させる。特に、前記ねじ結合は、下端部３３の刃４２を、開閉装置が作用して、可撓性容器から最大限離れた位置のチャンネル１８内に位置する上端停止位置から、前記偏心刃４２が、前記基部２の孔１１を越えて動いて前記可撓性容器に開口を形成し、前記容器の内部空間を中間部３５と、より詳細には、ネック２２のチャンネル４０と流体的に連通させる、前記環状窪み３９が、前記カラー５の歯１０と噛合する下端停止位置へ回転させることを可能にする。
【００６１】
ネック２２の上端部３１の外側ねじ３２と、下端部３３の外側ねじ３４は、実質的に逆方向に切るのが有利である。これは、使用者が、開閉体１が作用する可撓性容器に開口を形成すること、及び続いて単一方向の回転により、前記ネック２２からキャップストッパ４を開けることを容易にするので、好都合である。
【００６２】
図５〜図８は、本発明により、開閉体１を可撓性容器に作用させて、この可撓性容器内に流体製品を充填し、これによりパッケージを形成する方法の主工程を示す。
【００６３】
図５に示すように、本発明の方法は、食品用の好適な材料から成る単一の多層（複合層）又は単一層の可撓性シートで成形された袋からなる可撓性容器５０を利用する。この容器５０は、アルミニウムである金属製材料のシート、又は金属と食品用プラスチック材料（これらに限定されない）の複合シートで形成されている。その代わりに、前記容器５０を、前述の可撓性材料の複数のシートで形成することも可能である。
【００６４】
より詳細には、前記容器５０は、好ましくはガッセトタイプの底部５１、実質的に互いに対向し、かつそれぞれの第１側縁５２ａ、５３ａ及び第２側縁５２ｂ、５３ｂでシールされた第１壁５２及び第２壁５３、及び流体食品、液体又は固体（自由流動性）食品を、前記第１壁５２及び第２壁５３の間に充填するための空間を備えている。
【００６５】
第１壁５２及び第２壁５３間の側面シールは、底部５１から、第１側縁５２ａ、５３ａ及びそれぞれの第２側縁５２ｂ、５３ｂに沿って広がり、それぞれが第１壁５２の上端部５２ｃ及び第２壁５３の上端部５３ｄで終わる第１壁５２の上端部５２ｃ、及び対応する第２壁５３の上端部５３ｃに達している。
【００６６】
それぞれの端部５２ｃ、５３ｃで、第１壁５２及び第２壁５３間は側面シールされ、第１側縁５２ａ、５３ａ及びそれぞれの第２側縁５２ｂ、５３ｂは、袋体の上端に配置され、かつ第１壁５２の上端部５２ｄ及び第２壁５３の上端部５３ｄ間に広がるガセット部材５５にシールされている。
【００６７】
前記ガセット部材５５は、前記第１壁５２及び第２壁５３のいずれかの折り曲げられた端部で形成されていることが好ましい。
【００６８】
しかし、前記ガセット部材５５は、前記第１壁５２及び第２壁５３を形成する１又は２以上の可撓性シートに結合した別の部材（例えば別の可撓性シート）であっても、又は互いに結合した前記第１壁５２及び第２壁５３のそれぞれの折り曲げ部から形成されていても良い。
【００６９】
本発明方法では、前記可撓性容器５０は、第１壁５２及び第２壁５３の上端部５２ｃ、５３ｃ間に形成される口部５６に沿って開いている。より詳細には、本態様では、この口部は、第２壁５３の自由な（シールされていない）上端部５３ｄと、ガセット部材の自由端５５ａの間に形成されている。
【００７０】
この時点で、前記口部５６を通して、バッチャ５９により、予め決められた量の流体製品５８を、依然として開いている前記可撓性容器５０に充填する（図５）。
【００７１】
無菌での充填を行うには、この充填工程の前に、例えば過酸化水素をを使用する公知の方法で、前記可撓性容器５０を消毒する。
【００７２】
充填が完了すると、前記口部５６を閉じて、可撓性容器５０を密封シールする。このシールは、図６で矢示するように、前記ガセット部材５５の自由端５５ａを、第２壁５３の上端部５３ｄにシールして、前記口部５６を閉じることにより行う。
【００７３】
本発明の方法では、この時点で、前記開閉体１のそれぞれの基部２を、可撓性容器５０のガセット部材５５にシールする。これは、第１壁５２の上端部５２ｃと第２壁５３の上端部５３ｃを、互いに方向変換して実質的に完全に前記ガセット部材５５を平面上（水平面に沿って）に位置させ、次いで前記基部２を、前記ガセット部材５５にシールして実行する（図７）。
【００７４】
この態様では、基部２のガセット部材５５へのシールは、実質的に楔状の２個の対向する堅牢なブロック６０を補助的に使用して行うことが好ましく、このブロック６０は、それぞれ第１壁５２の上端部５２ｃと第２壁５３の上端部５３ｃの僅かに下の前記第１壁５２及び第２壁５３に近接する箇所に、互いに近づくように配置する（図７の矢印Ｂ及びＣ）。
【００７５】
これらのブロック６０は、それぞれ実質的に水平な上面６１を有し、その上に、第１壁５２の上端部５２ｃと第２壁５３の上端部５３ｃを保持させ、前記基部２がガセット部材５５に作用して（例えば押し付けられ）、基部２のガセット部材５５への効率的なシールが、容易に行えるようになる。
【００７６】
前記堅牢なブロック６０を、前記第１壁５２及び第２壁５３から離した後（図８の矢印Ｅ）、本発明の方法では、前記基部２を、第１壁５２の上端部５２ｃと、第２壁５３の上端部５３ｃ、及びガセット部材５５とともに折り曲げ、折り曲げられた基部２の少なくとも一部を、前記開閉体１の注入体３のフランジ６の表面７にシールし、かつ前記フランジ６との結合で影響を受けず、かつ前記基部２の残りの部分により影響されても良い、ガセット部材５５の端部領域で、前記第１壁５２及び第２壁５３の折り曲げ部５２ｃ及び５３ｃを互いにシールし（図８の矢印Ｇ）、図９に示す本発明のパッケージ７０を得る。
【００７７】
前記フランジ６の表面７の周囲の基部２の折り曲げは、前記折り曲げ線１２、１３及び１４により容易に行うことができる。より詳細には、図８ａ及び図８ｂにおいて、セットした基部２（図8ａに概略を示す）を、それをガセット部材５５に作用させた後の注入体３の一部（図７に示した）とともに折り曲げると、孔１１で影響されない対向する周縁ゾーンの基部２の中心部２ａの一部が僅かに下降し、かつこれらのゾーンでシールされたガセット部材５５の一部が下降する。この下降は、第３の折り曲げ線１４（図８ｂの矢印Ｈ）により容易に起こる。
【００７８】
更に、前記基部２を折り曲げると、前記第１壁５２の上端部５２ｃを有する基部２の周縁部２ｂ、前記第２壁５３の上端部５３ｃ、及びガセット部材５５の残りの部分が上昇する。この上昇は、第１の折り曲げ線１２及び第２の折り曲げ線１３（特に、長手方向に延びる線１３）の少なくとも一部により容易になる。
【００７９】
更に、前記折り曲げ線の特定形状のため、一旦折り曲げられると、前記基部２は、その内部プロフィールが、実質的にフランジ６の外部プロフィールと相補的であるポケットを形成し、これにより、基部２をフランジ６の表面７にシールすること、及びフランジ６との結合により影響されず、かつ基部２の残りの部分により影響されても良い、前記ガセット部材５５の端部ゾーンの第１壁５２及び第２壁５３の折り曲げられた上端部５２ｃ、５３ｃのシールを、容易かつ正確に行う。
【００８０】
本発明の可撓性容器５０を開ける（第１の開口）ために、使用者は、キャップストッパ４を、予め決められた方向（例えば矢印Ｈで示された反時計方向）に、袋体である可撓性容器５０の前記刃の最大前進位置に対応する、刃４２の下端停止位置に達するまで回転させれば十分である。この回転は、刃４２を有するネック２２、及びそれと回転自在に一体化されたキャップストッパ４を下降させ、前記刃４２が基部２の孔１１を横切ると、この刃は、前記ガセット部材５５において、可撓性容器５０を開口する。ネック２２が上端停止位置から下降すると、カラー５の下部環状頂部２９ｂの下方のリング２９ｃに通路が形成されて（回転力、及び環状頂部２９ａ、２９ｃの成分材料が十分な弾性を有するため）、円筒シェル３６を、その内部の環状凹部３９で環状帯９の歯１０と結合させることにより、ネック２２がカラー５でブロックされる下端停止位置に達するまで下降する。
【００８１】
前記基部２の中央部２ａの端部ゾーンの充填の間に行われる下降により、基部２の通孔１１に位置するガセット部材５５の一部は、これらの端部ゾーンと比較して僅かに上昇した位置にあるものとともに十分に緊張し、刃４２で可撓性容器５０を容易に開口する。
【００８２】
この時点で、キャップストッパ４の同方向回転を続けると、保証帯を構成するリング４９は裂け、キャップストッパ４がネック２２から外れ、袋体５０内の内容物を取り出せる。ストッパ４が外れた後の前記パッケージ６０の第１開口の最終的結果を図１０に示す。
【００８３】
前記パッケージ１は、袋体５０内の流体製品の所望量を取り出した後に、使用者が、キャップストッパ４をネック２２の上端部３１にねじ止めすることにより、容易に再度閉じることができることは注目すべきであり、前記キャップストッパ４は、内部環状凹部３９で、円筒シェル３６を環状帯９の歯１０と係合させることにより、その位置に強く保持できる。
【００８４】
図１１及び図１２は、本発明の可撓性容器用開閉の他の態様を示す。この開閉装置の全体を１０１で示してある。
【００８５】
前述の開閉装置の対応部材と構造的及び／又は機能的に等価である開閉装置１０１の部材には、１００を足した同じ符号を付してある。
【００８６】
前記開閉装置１０１は、主要部材として、縦軸Ｘ−Ｘに沿って、互いに同軸的である、平らで折り曲げられる基部１０２、全体が１０３で示された注入体１０３、及びキャップストッパ１０４を備えている。
【００８７】
前記注入体１０３は、前記基部１０２と一体化し、その上に位置する実質的に円筒状のネック１２２を備え、ネック１２２は、流体製品を通すための、前記軸Ｘ−Ｘと同軸のチャンネル１４０を内部に有している。
【００８８】
前記ネック１２２は、その外方で、前記基部１０２から予め決められた距離にある、予め決められた外部プロフィールと、前記縦軸Ｘ−Ｘに沿った予め決められた厚さを有する平らなフランジ１０６を有し、このフランジ１０６は、前記ネック１２２の全周囲に広がっている。
【００８９】
より詳細には、前記フランジ１０６は、前記ネック１２２と一体成形され、かつ前記基部１０２へのシールのための厚さだけ、その全周囲に沿って形成された付属物１０６ａと、表面１０７を有する実質的に六角形の外形を有する。
【００９０】
前記ネックは、フランジ１０６の上方に、周縁上に連続する複数の歯１３８を有し、かつこの歯１３８の上方に外部ねじ３２を有する。
【００９１】
キャップストッパ１０４は、ヘッド１４５と、外部の刻み状凹凸１４７を、内部のねじ１４８を備え、このねじ１４８は、前記ネック１２２の外部ねじ３２とともに、必要に応じて、注入体１０３のネック１２２に前記キャップストッパ１０４をねじ止めし、かつネック１２２から外すためのねじ結合を構成している。
【００９２】
前記キャップストッパ１０４は、好適なブリッジ（図示略）により、環状シェル１４６に係合され、かつ保持されたリング４９で形成された保証帯を有し、このリング１４９は、前記ネック１２２の複数の歯１３８の間に係合する（実質的に歯車結合に対応する）図示を省略した複数の歯を有する。
【００９３】
前記平らで折り曲げられる基部１０２は、後述するように可撓性容器にシールされ、第１の実質的な中央部１０２ａと、前記注入体１０３のフランジ１０６にシールできる周縁部１０２ｂを有する。更に前記基部１０２は、前記ネック１２２内に前記チャンネル１４０と同軸的な通孔１１と、それを必要とする可撓性容器に装着した後に、該基部１０２の折り曲げを容易にするための折り曲げ線を、前記フランジ１０６のシール面の周囲に有する。
【００９４】
より詳細には、前記基部１０２は、実質的に方形であり、前記注入体１０３のフランジ１０６のプロフィールに実質的に等しい（対応する）全体形状を有する、前記基部１０２の中央部１０２ａを区画するための前記通孔１１１の周囲の第１の折り曲げ線１１２と、それぞれのシール面１０７に沿って前記フランジ１０６にシールできる前記基部１０２の部分１０２ｂ内の前記第１の折り曲げ線１１２で区画されるプロフィールの外に位置する第２の折り曲げ線１１３を有する。
【００９５】
第１の折り曲げ線１１２は、前記基部１０２上のフランジ１０６の突出部の外部に、それと近接して形成され、これにより突出部は、前記第１の折り曲げ線１１２により区画されている基部１０２の中央部１０２ａに位置している。
【００９６】
この非限定的な態様では、前記第２の折り曲げ線１１３は、実質的に基部２の端部に到達するまで、前記第１の折り曲げ線１１２から縦方向、及び／又は横方向に延びている。
【００９７】
さらに前記基部１０２は、前記態様の折り曲げ線１１２で区画された内部形状を有する基部１０２の部分１０２ａに配置された第３の折り曲げ線１１４を備えている。本態様では、これらの第３の折り曲げ線は、対向する第１の折り曲げ線１１２間を実質的に横方向に延びている。
【００９８】
図１３から図１５は、本発明により、開閉装置１０１を可撓性容器に作用させて、この可撓性容器内に流体製品を充填し、これにより、パッケージを形成する方法の主工程を示す。
【００９９】
図１３及び図１４を参照すると、本発明の方法では、食品用の好適な材料から成る単一の多層（複合層）又は単一層の可撓性シートで成形された袋体からなる全体が符号１５０で示された可撓性容器を利用する。この容器は、限定的ではないが、アルミニウムである金属製材料のシート、又は金属と食品用プラスチック材料の複合シートで形成できる。その代わりに、前記袋体１５０を、前述の可撓性材料の複数のシートで形成することも可能である。
【０１００】
より詳細には、前記袋体１５０は、好ましくはガッセトタイプの底部１５１、実質的に互いに対向し、かつそれぞれの第１側縁１５２ａ、１５３ａ、及びそれぞれの第２側縁１５２ｂ、１５３ｂでシールされた第１壁１５２及び第２壁１５３、及び流体食品、液体又は固体（自由流動性）を前記第１壁１５２及び第２壁１５３間に充填するための空間を備えている。
【０１０１】
第１壁１５２及び第２壁１５３間の側面シールは、底部１５１から、第１側縁１５２ａ、１５３ａ、及びそれぞれの第２側縁１５２ｂ、１５３ｂに沿って広がり、それぞれが第１壁１５２の上端部１５２ｃ及び第２壁１５３の上端部１５３ｄで終わる、第１壁１５２の上端部１５２ｃ、及び対応する第２壁１５３の上端部１５３ｃに達している。
【０１０２】
本発明の方法では、前記可撓性袋体１５０は、第１壁１５２及び第２壁１５３の上端部１５２ｃ、１５３ｃ間に形成されている口部１５６に沿って開いており、それを通して、可撓性容器１５０に、前述の可撓性容器５０に関して既に説明したのと同様に、流体食品が充填される。
【０１０３】
充填が完了すると、開閉装置１０１の基部１０２を、第１壁１５２と第２壁１５３の上端部１５２ｃと上端部１５３ｃに対してシールする。これは、第１壁１５２の上端部１５２ｃと第２壁１５３の上端部１５３ｃを、互いに方向変換させて実質的に完全に、それらを平面上（つまり互いに平らな角を形成する）に位置させ、次いで前記基部１０２を、上端部１５２ｃ、１５３ｃの内部表面（現時点で見える）に作用させ、かつシールして実行する（図１３及び１４の矢印Ｌ）。
【０１０４】
本態様では、基部１０２の上端部１５２ｃ、１５３ｃへのシールは、実質的に楔状の２個の対向する堅牢なブロック１６０を補助的に使用して行うことが好ましく、このブロック１６０は、それぞれ、第１壁１５２の上端部１５２ｃと第２壁１５３の上端部１５３ｃの僅かに下の前記第１壁１５２及び第２壁１５３に近接する箇所に、互いに近づくように配置される。
【０１０５】
これらのブロック１６０は、それぞれ実質的に水平な上面１６１を有し、その上に、第１壁１５２の上端部１５２ｃと第２壁１５３の上端部１５３ｃが位置し、かつ保持され、前記基部１０２が作用して（例えば押し付けられ）、基部１０２のより効率的なシールが容易に行えるようになる。
【０１０６】
前記堅牢なブロック１６０を、前記第１壁１５２及び第２壁１５３から離した後、本発明の方法では、前記基部１０２を、第１壁１５２の上端部１５２ｃと第２壁１５３の上端部１５３ｃを折り曲げ（図１５の矢印Ｍ）、折り曲げた基部１０２の少なくとも一部を注入体１０３のフランジ１０６のシール面１０７にシールし、かつ前記フランジ１０６との結合により、影響を受けず、また前記基部１０２の残りの部分により、影響されることのあるそれぞれの端部領域中の第１壁１５２及び第２壁１５３の前記折り曲げ部１５２ｃ及び１５３ｃを互いにシールすることにより、図１６に示す本発明のパッケージ１７０を得る工程を実施する。
【０１０７】
前記フランジ１０６のシール面１０７の周囲の基部１０２の折り曲げは、前記装置１の基部２の折り曲げに関して説明したのと同様に、前記折り曲げ線１１２、１１３及び１１４により、容易に行うことができる。更に、前記折り曲げ線の特定形状のため、一旦折り曲げられると、前記基部１０２は、その内部プロフィールが、実質的にフランジ１０６の外部プロフィールと相補的であるポケットを形成し、これにより、基部１０２をフランジ１０６のシール面１０７のフランジ１０６にシールすること、及びフランジ１０６との結合により影響されずかつ基部１０２の残りの部分により影響されても良い、端部ゾーンの前記第１壁１５２及び第２壁１５３の折り曲げられた端部１５２ｃ、１５３ｃのシールを容易かつ正確に行うことができる。
【０１０８】
本発明のパッケージ１７０を開ける（第１の開口）ためには、使用者は、キャップストッパ１０４を予め決められた方向に回転させれば十分であり、これにより、保証帯を構成するリング１４９が裂け、続いてネック１２２からキャップストッパ１０４が外れ、袋体１５０内の内容物を取り出すころができる。ストッパ１０４が外れた後の前記パッケージ１７０の第１開口の最終形態を、図１７に示す。
【０１０９】
前記パッケージ１７０は、袋体１５０内の流体製品の所望量を取り出した後に、使用者が、キャップストッパ１０４をネック１２２にねじ止めすることにより、容易に再度閉じることができる。
【０１１０】
図１８及び図１９は、本発明の開閉装置の基部の多くの可能な態様のうちの幾つかを示している。
【０１１１】
詳細には、図１８は、前述の基部２に全体的に類似している平らで折り曲げ可能な基部２００を示し、実質的に八角形の形状である点で異なっている。
【０１１２】
図１９は、前述の基部２に類似している平らで折り曲げ可能な基部３００を示し、第３の折り曲げ線１４が存在しないこと、及び第１の折り曲げ線１２が前記基部２の場合の六角形でなく実質的に楕円形である点で異なっている。
【符号の説明】
【０１１３】
１    開閉装置
２、１０２    基部
２ａ、１０２ａ  中央部
２ｂ、１０２ｂ    周縁部
３、１０３    注入体
４、１０４    キャップストッパ
５    カラー
６、１０６    フランジ
６ａ    附属物
７、１０７    表面
８    チャンネル
９    環状帯
１０    歯
１１、１１１    通孔
１２、１１２    第１の折り曲げ線
１３、１１３    第２の折り曲げ線
１４    第３の折り曲げ線
１８    チャンネル
２２、１２２    ネック
２８    内側ねじ
２９ａ    上部環状頂部
２９ｂ    下部環状頂部
２９ｃ    リング
３０    円筒体
３１    上端部
３２    外部ねじ
３３    下端部
３４    外側ねじ
３５    中間部
３６    円筒シェル
３７    内部環状窪み
３８、１３８    歯
３９    環状凹部
４０、１４０    チャンネル
４２    刃
４５、１４５    ヘッド
１４６  環状シェル
４７、１４７    刻み状凹凸
４８、１４８    ねじ
４９、１４９    リング
５０、１５０    可撓性容器
５１    底部
５２    第１壁
５３    第２壁
５２ａ、５３ａ    第１側縁
５２ｂ、５３ｂ    第２側縁
５２ｃ、５３ｃ、５２ｄ、５３ｄ    上端部
５５    ガセット部材
５５ａ    自由端
５６    口部
５８    流体製品
５９    バッチャ
６０    ブロック
６１    上面
７０    パッケージ
１０１    開閉装置
【国際調査報告】
2012532812.tif 000024
2012532812.tif 000025
2012532812.tif 000026